(57)【要約】  本出願は、通信方法及び通信装置を開示し、端末の電力消費を低減するための通信分野に関する。通信方法は、第１のネットワークデバイスにより、第１の情報を決定するステップであり、第１の情報は同期信号ブロックのタイプ情報を含み、同期信号ブロックのタイプ情報は、同期信号ブロックがセル定義の同期信号ブロック又は非セル定義の同期信号ブロックであることを示すために使用される、ステップと、第１のネットワークデバイスにより、第１の情報を第２のネットワークデバイスに送信するステップと、を含む。本出願の実施形態は、セル定義又は非セル定義の同期信号ブロックの指示に適用される。
2021522750.tif 000002
【特許請求の範囲】
【請求項１】
通信方法であって、
第１のネットワークデバイスにより、第１の情報を決定するステップであり、前記第１の情報は同期信号ブロックのタイプ情報を含み、前記同期信号ブロックの前記タイプ情報は、前記同期信号ブロックがセル定義の同期信号ブロック又は非セル定義の同期信号ブロックであることを示すために使用され、あるいは前記同期信号ブロックの前記タイプ情報は、前記同期信号ブロックが初期アクセス、在圏、セル再選択、又はセル選択をサポートするかどうかを示すために使用され、あるいは前記同期信号ブロックの前記タイプ情報は、前記同期信号ブロックが基本システム情報を送信するために使用されるかどうかを示すために使用される、ステップと、
前記第１のネットワークデバイスにより、前記第１の情報を第２のネットワークデバイスに送信するステップと、
を含む方法。
【請求項２】
前記同期信号ブロックは、前記第１のネットワークデバイスの第１のセル又は第１のキャリアの少なくとも１つの同期信号ブロックである、請求項１に記載の方法。
【請求項３】
前記同期信号ブロックは、前記第２のネットワークデバイスの第２のセル又は第２のキャリアの同期信号ブロックであり、前記同期信号ブロックの前記タイプ情報は、前記第１のネットワークデバイスのリソース使用情報に基づいて決定される、請求項１に記載の方法。
【請求項４】
前記同期信号ブロックは、前記第２のネットワークデバイスの第２のセル又は第２のキャリアの同期信号ブロックであり、当該方法は、
前記第１のネットワークデバイスにより、前記第２のネットワークデバイスから、前記第２のセル又は前記第２のキャリアのリソース使用情報を受信するステップ、
をさらに含み、
前記第１のネットワークデバイスにより、第１の情報を決定するステップは、
前記第１のネットワークデバイスにより、前記第２のネットワークデバイスの前記第２のセル又は前記第２のキャリアの前記同期信号ブロックのタイプ情報を、前記第２のセル又は前記第２のキャリアの前記リソース使用情報に基づいて決定するステップを含む、
請求項１に記載の方法。
【請求項５】
前記第１のネットワークデバイスは、無線リソース制御ＲＲＣレイヤ、サービスデータ適応プロトコルＳＤＡＰレイヤ、及びパケットデータ収束プロトコルＰＤＣＰレイヤの機能を実行するように構成され、
前記第２のネットワークデバイスは、無線リンク制御ＲＬＣレイヤ、媒体アクセス制御ＭＡＣレイヤ、及び物理レイヤの機能を実行するように構成される、
請求項１乃至４のうちいずれか１項に記載の方法。
【請求項６】
前記第１の情報は、以下の情報、すなわち、
周波数ドメインにおける前記同期信号ブロックのサブキャリア間隔を示すために使用される情報、
前記同期信号ブロックの測定情報、
近隣セルとサービングセルとの間又は近隣セルの同期信号ブロックとサービング同期信号ブロックとの間でタイミング同期が達成されるかどうかを示すために使用される情報、及び
同期信号ブロックが時間ドメインにおいて同期されているかどうかを判定するために使用される情報
のうち少なくとも１つをさらに含む、請求項１乃至５のうちいずれか１項に記載の方法。
【請求項７】
通信方法であって、
第２のネットワークデバイスにより、第１のネットワークデバイスから第１の情報を受信するステップであり、前記第１の情報は、第１の同期信号ブロックのタイプ情報を含み、前記第１の同期信号ブロックの前記タイプ情報は、前記第１の同期信号ブロックがセル定義の同期信号ブロック又は非セル定義の同期信号ブロックであることを示すために使用され、あるいは前記同期信号ブロックの前記タイプ情報は、前記同期信号ブロックが初期アクセス、在圏、セル再選択、又はセル選択をサポートするかどうかを示すために使用され、あるいは前記同期信号ブロックの前記タイプ情報は、前記同期信号ブロックが基本システム情報を送信するために使用されるかどうかを示すために使用される、ステップと、
前記第２のネットワークデバイスにより、第２の情報を送信するステップであり、前記第２の情報は前記第１の情報に基づいて決定される、ステップと、
を含む方法。
【請求項８】
前記第１の同期信号ブロックは、前記第１のネットワークデバイスの第１のセル又は第１のキャリアの少なくとも１つの同期信号ブロックである、請求項７に記載の方法。
【請求項９】
前記第１の同期信号ブロックは、前記第２のネットワークデバイスの第２のセル又は第２のキャリアの同期信号ブロックであり、当該方法は、
前記第２のネットワークデバイスにより、前記第２のセル又は前記第２のキャリアのリソース使用情報を前記第１のネットワークデバイスに送信するステップ、
をさらに含む、請求項７に記載の方法。
【請求項１０】
前記第２の情報は、セル定義の第２の同期信号ブロックの周波数情報を含む、請求項７に記載の方法。
【請求項１１】
前記第２の情報は、第２の同期信号ブロックの周波数情報及びタイプ情報を含む、請求項７に記載の方法。
【請求項１２】
前記第１のネットワークデバイスは、無線リソース制御ＲＲＣレイヤ、サービスデータ適応プロトコルＳＤＡＰレイヤ、及びパケットデータ収束プロトコルＰＤＣＰレイヤの機能を実行するように構成され、
前記第２のネットワークデバイスは、無線リンク制御ＲＬＣレイヤ、媒体アクセス制御ＭＡＣレイヤ、及び物理レイヤの機能を実行するように構成される、
請求項７乃至１１のうちいずれか１項に記載の方法。
【請求項１３】
前記第１の情報又は前記第２の情報は、以下の情報、すなわち、
周波数ドメインにおける前記同期信号ブロックのサブキャリア間隔を示すために使用される情報、
前記同期信号ブロックの測定情報、
近隣セルとサービングセルとの間又は近隣セルの同期信号ブロックとサービング同期信号ブロックとの間でタイミング同期が達成されるかどうかを示すために使用される情報、及び
同期信号ブロックが時間ドメインにおいて同期されているかどうかを判定するために使用される情報
のうち少なくとも１つをさらに含む、請求項７乃至１２のうちいずれか１項に記載の方法。
【請求項１４】
通信方法であって、
少なくとも１つの同期信号ブロックの周波数情報及びタイプ情報を受信するステップであり、前記同期信号ブロックの前記タイプ情報は、前記同期信号ブロックがセル定義の同期信号ブロック又は非セル定義の同期信号ブロックであることを示すために使用され、あるいは前記同期信号ブロックの前記タイプ情報は、前記同期信号ブロックが初期アクセス、在圏、セル再選択、又はセル選択をサポートするかどうかを示すために使用され、あるいは前記同期信号ブロックの前記タイプ情報は、前記同期信号ブロックが基本システム情報を送信するために使用されるかどうかを示すために使用される、ステップと、
前記少なくとも１つの同期信号ブロックの前記周波数情報及び前記タイプ情報に基づいて前記同期信号ブロックを測定するステップと、
を含む方法。
【請求項１５】
前記少なくとも１つの同期信号ブロックの前記周波数情報及び前記タイプ情報に基づいて前記同期信号ブロックを測定するステップは、
前記周波数情報に基づいて、前記タイプ情報により示される前記セル定義の同期信号ブロックを測定するステップ
を含む、請求項１４に記載の方法。
【請求項１６】
請求項１乃至６のうちいずれか１項に記載の方法を実現するように構成された第１の通信装置。
【請求項１７】
請求項７乃至１３のうちいずれか１項に記載の方法を実現するように構成された第２の通信装置。
【請求項１８】
請求項１４又は１５に記載の方法を実現するように構成された通信装置。
【請求項１９】
記憶媒体であって、コンピュータプログラムを記憶し、前記コンピュータプログラムがプロセッサにより実行されたとき、請求項１乃至６のうちいずれか１項に記載の方法が実現され、あるいは請求項７乃至１３のうちいずれか１項に記載の方法が実現され、あるいは請求項１４又は１５に記載の方法が実現される、記憶媒体。
【発明の詳細な説明】
【技術分野】
【０００１】
本出願は、2018年5月11日に中国国家知識産権局に出願され「COMMUNICATION  METHOD  AND  COMMUNICATIONS  APPARATUS」と題された中国特許出願第201810450465.5号に対する優先権を主張し、該出願はその全体を参照により本明細書に組み込まれる。
【背景技術】
【０００２】
本出願は通信分野に関し、特に通信方法及び通信装置に関する。
【０００３】
無線アクセスネットワーク（radio  access  network、ＲＡＮ）の１つのセルは、１つ以上の同期信号ブロックを含み、端末は、様々な周波数における同期信号ブロックを測定することにより信号品質を決定する。同期信号ブロックは、タイプに従って、セル定義の（cell-defined）（セルが定義する（cell  defining））同期信号ブロックと非セル定義の（non-cell-defined）（非セルが定義する（non  cell  defining））同期信号ブロックに分類される。セル定義の同期信号ブロックは、端末の初期アクセス、在圏、セル再選択、又はセル選択をサポートし、非セル定義の同期信号ブロックは、端末の初期アクセス、在圏、セル再選択、又はセル選択をサポートしない。端末は、非セル定義の同期信号ブロックを測定するが、対応する同期信号ブロック上で初期アクセス、在圏、セル再選択、又はセル選択を行うことはできない。結果的に、端末の不要な電力消費が引き起こされる。
【発明の概要】
【０００４】
本出願の実施形態は、端末の電力消費を低減するための通信方法及び通信装置を提供する。
【０００５】
前述の目的を達成するために、本出願の実施形態において以下の技術的解決策が用いられる。
【０００６】
第１の態様によれば、通信方法が提供される。当該方法は、第１のネットワークデバイスにより、第１の情報を決定するステップであり、第１の情報は同期信号ブロックのタイプ情報を含み、同期信号ブロックのタイプ情報は、同期信号ブロックがセル定義の同期信号ブロック又は非セル定義の同期信号ブロックであることを示すために使用され、あるいは同期信号ブロックのタイプ情報は、同期信号ブロックが初期アクセス、在圏、セル再選択、又はセル選択をサポートするかどうかを示すために使用され、あるいは同期信号ブロックのタイプ情報は、同期信号ブロックが基本システム情報を送信するために使用されるかどうかを示すために使用される、ステップと、第１のネットワークデバイスにより、第１の情報を第２のネットワークデバイスに送信するステップと、を含む。本出願のこの実施形態における通信方法によれば、第１のネットワークデバイスは、同期信号ブロックの第１の情報を第２のネットワークデバイスに送信し、第１の情報は、同期信号ブロックがセル定義の同期信号ブロック又は非セル定義の同期信号ブロックであることを示すタイプ情報を含む。第２のネットワークデバイスは、端末に対してセル定義の同期信号ブロックを構成し、あるいは、第２のネットワークデバイスは、少なくとも１つの同期信号ブロックを構成する周波数情報及びタイプ情報を端末に対して示し、それにより、端末は、周波数ドメインにおけるセル定義の同期信号ブロックの位置を決定する。本出願のこの実施形態における通信方法によれば、端末は、全ての周波数をブラインドサーチすることを防止され、初期アクセス、在圏、セル再選択、又はセル選択に使用できる同期信号ブロック（すなわち、セル定義の同期信号ブロック）のみを測定することができる。これは、端末が初期アクセス、在圏、セル再選択、又はセル選択を行うとき同期信号ブロックを測定するための電力消費を低減することができる。
【０００７】
可能な一実装において、同期信号ブロックは、第１のネットワークデバイスの第１のセル又は第１のキャリアの少なくとも１つの同期信号ブロックである。この実装において、第２のネットワークデバイスは、第１のネットワークデバイスのセル又はキャリアの同期信号ブロックの構成を習得することができる。
【０００８】
可能な一実装において、同期信号ブロックは、第２のネットワークデバイスの第２のセル又は第２のキャリアの同期信号ブロックであり、同期信号ブロックのタイプ情報は、第１のネットワークデバイスのリソース使用情報に基づいて決定される。この実装において、第２のネットワークデバイスのセル又はキャリアの同期信号ブロックは、第１のネットワークデバイスのリソース使用情報に基づいて調整することができる。
【０００９】
可能な一実装において、同期信号ブロックは、第２のネットワークデバイスの第２のセル又は第２のキャリアの同期信号ブロックであり、当該方法は、第１のネットワークデバイスにより、第２のネットワークデバイスから、第２のセル又は第２のキャリアのリソース使用情報を受信するステップをさらに含む。第１のネットワークデバイスにより、第１の情報の決定するステップは、第１のネットワークデバイスにより、第２のネットワークデバイスの第２のセル又は第２のキャリアの同期信号ブロックのタイプ情報を、第２のセル又は第２のキャリアのリソース使用情報に基づいて決定するステップを含む。この実装において、第２のネットワークデバイスのセル又はキャリアの同期信号ブロックは、第２のネットワークデバイスのリソース使用情報に基づいて調整することができる。
【００１０】
可能な一実装において、第１のネットワークデバイスは、無線リソース制御ＲＲＣレイヤ、サービスデータ適応プロトコルＳＤＡＰレイヤ、及びパケットデータ収束プロトコルＰＤＣＰレイヤの機能を実行するように構成され、第２のネットワークデバイスは、無線リンク制御ＲＬＣレイヤ、媒体アクセス制御ＭＡＣレイヤ、及び物理レイヤの機能を実行するように構成される。この実装は、第１のネットワークデバイスがＣＵとして機能し、かつ第２のネットワークデバイスがＤＵとして機能する、可能なプロトコルレイヤ分割方法を提供する。
【００１１】
可能な一実装において、第１の情報は、以下の情報、すなわち、周波数ドメインにおける同期信号ブロックのサブキャリア間隔を示すために使用される情報、同期信号ブロックの測定情報、近隣セルとサービングセルとの間又は近隣セルの同期信号ブロックとサービング同期信号ブロックとの間でタイミング同期が達成されるかどうかを示すために使用される情報、及び同期信号ブロックが時間ドメインにおいて同期されているかどうかを判定するために使用される情報のうち少なくとも１つをさらに含む。この実装は、同期信号ブロックの位置に関する情報をさらに決定する可能な実装を提供する。
【００１２】
第２の態様によれば、通信方法が提供される。当該方法は、第２のネットワークデバイスにより、第１のネットワークデバイスから第１の情報を受信するステップであり、第１の情報は、第１の同期信号ブロックのタイプ情報を含み、第１の同期信号ブロックのタイプ情報は、第１の同期信号ブロックがセル定義の同期信号ブロック又は非セル定義の同期信号ブロックであることを示すために使用され、あるいは同期信号ブロックのタイプ情報は、同期信号ブロックが初期アクセス、在圏、セル再選択、又はセル選択をサポートするかどうかを示すために使用され、あるいは同期信号ブロックのタイプ情報は、同期信号ブロックが基本システム情報を送信するために使用されるかどうかを示すために使用される、ステップと、第２のネットワークデバイスにより、第２の情報を送信するステップであり、第２の情報は第１の情報に基づいて決定される、ステップと、を含む。本出願のこの実施形態における通信方法によれば、第１のネットワークデバイスは、同期信号ブロックの第１の情報を第２のネットワークデバイスに送信し、第１の情報は、同期信号ブロックがセル定義の同期信号ブロック又は非セル定義の同期信号ブロックであることを示すタイプ情報を含む。第２のネットワークデバイスは、端末に対してセル定義の同期信号ブロックを構成し、あるいは、第２のネットワークデバイスは、少なくとも１つの同期信号ブロックを構成する周波数情報及びタイプ情報を端末に対して示し、それにより、端末は、周波数ドメインにおけるセル定義の同期信号ブロックの位置を決定する。本出願のこの実施形態における通信方法によれば、端末は、全ての周波数をブラインドサーチすることを防止され、初期アクセス、在圏、セル再選択、又はセル選択に使用できる同期信号ブロック（すなわち、セル定義の同期信号ブロック）のみを測定することができる。これは、端末が初期アクセス、在圏、セル再選択、又はセル選択を行うとき同期信号ブロックを測定するための電力消費を低減することができる。
【００１３】
可能な一実装において、第１の同期信号ブロックは、第１のネットワークデバイスの第１のセル又は第１のキャリアの少なくとも１つの同期信号ブロックである。この実装において、第２のネットワークデバイスは、第１のネットワークデバイスのセル又はキャリアの同期信号ブロックの構成を習得することができる。
【００１４】
可能な一実装において、第１の同期信号ブロックは、第２のネットワークデバイスの第２のセル又は第２のキャリアの同期信号ブロックであり、当該方法は、第２のネットワークデバイスにより、第２のセル又は第２のキャリアのリソース使用情報を第１のネットワークデバイスに送信するステップをさらに含む。この実装において、第２のネットワークデバイスのセル又はキャリアの同期信号ブロックは、第２のネットワークデバイスのリソース使用情報に基づいて調整することができる。
【００１５】
可能な一実装において、第２の情報は、セル定義の第２の同期信号ブロックの周波数情報を含む。この実装において、ネットワークデバイスは、端末に対してセル定義の同期信号ブロックの位置を示すことができる。
【００１６】
可能な一実装において、第２の情報は、第２の同期信号ブロックの周波数情報及びタイプ情報を含む。この実装において、ネットワークデバイスは、端末に対してセル定義の同期信号ブロック及び非セル定義の同期信号ブロックの位置を示すことができる。
【００１７】
可能な一実装において、第１のネットワークデバイスは、無線リソース制御ＲＲＣレイヤ、サービスデータ適応プロトコルＳＤＡＰレイヤ、及びパケットデータ収束プロトコルＰＤＣＰレイヤの機能を実行するように構成され、第２のネットワークデバイスは、無線リンク制御ＲＬＣレイヤ、媒体アクセス制御ＭＡＣレイヤ、及び物理レイヤの機能を実行するように構成される。この実装は、第１のネットワークデバイスがＣＵとして機能し、かつ第２のネットワークデバイスがＤＵとして機能する、可能なプロトコルレイヤ分割方法を提供する。
【００１８】
可能な一実装において、第１の情報又は第２の情報は、以下の情報、すなわち、周波数ドメインにおける同期信号ブロックのサブキャリア間隔を示すために使用される情報、同期信号ブロックの測定情報、近隣セルとサービングセルとの間又は近隣セルの同期信号ブロックとサービング同期信号ブロックとの間でタイミング同期が達成されるかどうかを示すために使用される情報、及び同期信号ブロックが時間ドメインにおいて同期されているかどうかを判定するために使用される情報のうち少なくとも１つをさらに含む。この実装は、同期信号ブロックの位置に関する情報をさらに決定する可能な実装を提供する。
【００１９】
第３の態様によれば、通信方法が提供される。当該方法は、少なくとも１つの同期信号ブロックの周波数情報及びタイプ情報を受信するステップであり、同期信号ブロックのタイプ情報は、同期信号ブロックがセル定義の同期信号ブロック又は非セル定義の同期信号ブロックであることを示すために使用され、あるいは同期信号ブロックのタイプ情報は、同期信号ブロックが初期アクセス、在圏、セル再選択、又はセル選択をサポートするかどうかを示すために使用され、あるいは同期信号ブロックのタイプ情報は、同期信号ブロックが基本システム情報を送信するために使用されるかどうかを示すために使用される、ステップと、少なくとも１つの同期信号ブロックの周波数情報及びタイプ情報に基づいて同期信号ブロックを測定するステップと、を含む。本出願のこの実施形態における通信方法によれば、第１のネットワークデバイスは、同期信号ブロックの第１の情報を第２のネットワークデバイスに送信し、第１の情報は、同期信号ブロックがセル定義の同期信号ブロック又は非セル定義の同期信号ブロックであることを示すタイプ情報を含む。第２のネットワークデバイスは、端末に対してセル定義の同期信号ブロックを構成し、あるいは、第２のネットワークデバイスは、少なくとも１つの同期信号ブロックを構成する周波数情報及びタイプ情報を端末に対して示し、それにより、端末は、周波数ドメインにおけるセル定義の同期信号ブロックの位置を決定する。本出願のこの実施形態における通信方法によれば、端末は、全ての周波数をブラインドサーチすることを防止され、初期アクセス、在圏、セル再選択、又はセル選択に使用できる同期信号ブロック（すなわち、セル定義の同期信号ブロック）のみを測定することができる。これは、端末が初期アクセス、在圏、セル再選択、又はセル選択を行うとき同期信号ブロックを測定するための電力消費を低減することができる。
【００２０】
可能な一実装において、少なくとも１つの同期信号ブロックの周波数情報及びタイプ情報に基づいて同期信号ブロックを測定するステップは、周波数情報に基づいて、タイプ情報により示されるセル定義の同期信号ブロックを測定するステップを含む。この実装は、端末がセル定義の同期信号ブロックを測定する方法を提供する。
【００２１】
第４の態様によれば、第１の態様及び第１の態様の可能な実装による方法を実行するように構成された第１の通信装置が提供される。
【００２２】
第５の態様によれば、第２の態様及び第２の態様の可能な実装による方法を実行するように構成された第２の通信装置が提供される。
【００２３】
第６の態様によれば、第３の態様及び第３の態様の可能な実装による方法を実行するように構成された通信装置が提供される。
【００２４】
第７の態様によれば、第４の態様による第１の通信装置と第５の態様による第２の通信装置とを含む通信システムが提供される。任意で、通信システムは、第６の態様による通信装置をさらに含んでもよい。
【００２５】
第８の態様によれば、本出願の一実施形態は、プロセッサ及びメモリを含む通信装置を提供する。メモリは、プログラムを記憶するように構成され、プロセッサは、メモリに記憶されたプログラムを呼び出して、第１の態様及び第１の態様の可能な実装による方法を実行し、あるいは第２の態様及び第２の態様の可能な実装による方法を実行し、あるいは第３の態様及び第３の態様の可能な実装による方法を実行する。
【００２６】
第９の態様によれば、本出願の一実施形態は、記憶媒体を提供する。記憶媒体はコンピュータプログラムを記憶し、コンピュータプログラムがプロセッサにより実行されたとき、第１の態様及び第１の態様の可能な実装による方法が実行され、あるいは第２の態様及び第２の態様の可能な実装による方法が実行され、あるいは第３の態様及び第３の態様の可能な実装による方法が実行される。
【００２７】
第１０の態様によれば、本出願の一実施形態は、コンピュータプログラムプロダクトを提供する。コンピュータプログラムプロダクトが通信装置上で実行されたとき、通信装置は、第１の態様及び第１の態様の可能な実装による方法を実行し、あるいは第２の態様及び第２の態様の可能な実装による方法を実行し、あるいは第３の態様及び第３の態様の可能な実装による方法を実行する。
【００２８】
第１１の態様によれば、本出願の一実施形態は、プロセッサを含むチップシステムを提供し、該プロセッサは、第１の態様及び第１の態様の可能な実装による方法を実行し、あるいは第２の態様及び第２の態様の可能な実装による方法を実行し、あるいは第３の態様及び第３の態様の可能な実装による方法を実行する際に通信装置をサポートするように構成される。
【００２９】
第４の態様〜第１１の態様の技術的効果については、第１の態様〜第３の態様における内容を参照する。
【図面の簡単な説明】
【００３０】
【図１】本出願の一実施形態による通信システムの概略構造図である。
【図２】本出願の一実施形態による端末の概略構造図１である。
【図３】本出願の一実施形態によるネットワークデバイスの概略構造図１である。
【図４】本出願の一実施形態によるネットワークデバイスの概略構造図２である。
【図５】本出願の一実施形態による通信方法の概略フローチャート１である。
【図６】本出願の一実施形態による通信方法の概略フローチャート２である。
【図７】本出願の一実施形態による通信方法の概略フローチャート３である。
【図８】本出願の一実施形態による通信方法の概略フローチャート４である。
【図９】本出願の一実施形態による第１の通信装置の概略構造図１である。
【図１０】本出願の一実施形態による第１の通信装置の概略構造図２である。
【図１１】本出願の一実施形態による第１の通信装置の概略構造図３である。
【図１２】本出願の一実施形態による第２の通信装置の概略構造図１である。
【図１３】本出願の一実施形態による第２の通信装置の概略構造図２である。
【図１４】本出願の一実施形態による端末の概略構造図２である。
【図１５】本出願の一実施形態による端末の概略構造図３である。
【図１６】本出願の一実施形態による端末の概略構造図４である。
【発明を実施するための形態】
【００３１】
本出願の実施形態において説明されるネットワークアーキテクチャ及びサービスシナリオは、本出願の実施形態の技術的解決策をより明確に説明することを意図したものであり、本出願の実施形態で提供される技術的解決策に対する制限を構成するものではない。当業者は、ネットワークアーキテクチャの進化及び新しいサービスシナリオの出現に伴い、本出願の実施形態で提供される技術的解決策が同様の技術的課題にも適用可能であることを認識し得る。
【００３２】
本出願の実施形態は、時分割複信（time  division  duplexing、ＴＤＤ）シナリオに適用されてもよく、あるいは周波数分割複信（frequency  division  duplexing、ＦＤＤ）シナリオに適用されてもよい。本出願の実施形態では、説明のための一例として、無線通信ネットワークにおける第５世代（5th  generation、５Ｇ）通信ネットワークのシナリオが用いられる。本出願の実施形態における解決策は、別の無線通信ネットワークにさらに適用されてもよく、対応する名前もまた、別の無線通信ネットワークにおける対応する機能の名前に置き換えられてよいことに留意されたい。
【００３３】
本出願の一実施形態は、通信システムを提供する。図１を参照し、通信システムは、少なくとも１つの端末（terminal）１１、第１のネットワークデバイス１２、及び第２のネットワークデバイス１３を含む。
【００３４】
任意で、本出願の実施形態における端末１１は、様々なハンドヘルドデバイス、車載デバイス、ウェアラブルデバイス、及び無線通信機能を有するコンピューティングデバイス、又は無線モデムに接続された他の処理デバイスを含んでもよい。端末は、加入者ユニット（subscriber  unit）、セルラーフォン（cellular  phone）、スマートフォン（smart  phone）、無線データカード、パーソナルデジタルアシスタント（personal  digital  assistant、ＰＤＡ）コンピュータ、タブレットコンピュータ、無線モデム（modem）、ハンドヘルドデバイス（handheld）、ラップトップコンピュータ（laptop  computer）、コードレス電話（cordless  phone）又は無線ローカルループ（wireless  local  loop、ＷＬＬ）局、マシンタイプ通信（machine  type  communication、ＭＴＣ）端末、ユーザ装置（user  equipment、ＵＥ）、移動局（mobile  station、ＭＳ）、端末デバイス（terminal  device）、中継ユーザ装置などをさらに含んでもよい。中継ユーザ装置は、例えば、５Ｇレジデンシャルゲートウェイ（residential  gateway、ＲＧ）でもよい。説明の容易さのため、上述のデバイスは集合的に端末と呼ばれることがある。
【００３５】
端末１１がモバイルフォンである一例を用いて、モバイルフォンのハードウェアアーキテクチャを説明する。図２に示すように、モバイルフォンは、無線周波数（radio  frequency、ＲＦ）回路１１０、メモリ１２０、別の入力デバイス１３０、ディスプレイ１４０、センサ１５０、オーディオ回路１６０、Ｉ／Ｏサブシステム１７０、プロセッサ１８０、及び電源１９０などのコンポーネントを含み得る。当業者は、図に示すモバイルフォンの構造がモバイルフォンへのいかなる限定も構成するものでなく、図に示すものより多い又は少ないコンポーネントを含んでもよく、あるいはいくつかのコンポーネントが組み合わられてもよく、あるいはいくつかのコンポーネントが分割されてもよく、あるいは異なるコンポーネント配置が使用されてもよいことを理解し得る。当業者は、ディスプレイ１４０がユーザインターフェース（user  interface、ＵＩ）であり、ディスプレイ１４０はディスプレイパネル１４１及びタッチパネル１４２を含んでもよいことを理解し得る。図示されていないが、モバイルフォンは、カメラ及びＢｌｕｅｔｏｏｔｈモジュールなどの機能モジュール又はコンポーネントをさらに含んでもよい。詳細は本明細書で説明されない。
【００３６】
さらに、プロセッサ１８０は、ＲＦ回路１１０、メモリ１２０、オーディオ回路１６０、Ｉ／Ｏサブシステム１７０、及び電源１９０に別個に接続される。Ｉ／Ｏサブシステム１７０は、別の入力デバイス１３０、ディスプレイ１４０、及びセンサ１５０に別個に接続される。ＲＦ回路１１０は、情報の受信及び送信プロセス又は呼プロセスにおいて信号を受信及び送信するように構成され得る。特に、ＲＦ回路１１０は、ネットワークデバイスから下りリンク情報を受信し、下りリンク情報を処理のためにプロセッサ１８０に送信する。メモリ１２０は、ソフトウェアプログラム及びモジュールを記憶するように構成され得る。プロセッサ１８０は、メモリ１２０に記憶されたソフトウェアプログラム及びモジュールを実行して、モバイルフォンの様々な機能アプリケーション及びデータ処理を実行し、例えば、本出願の実施形態における端末についての方法及び機能を実行する。別の入力デバイス１３０は、入力された数字又は文字情報を受け取り、モバイルフォンのユーザ設定及び機能制御に関連するキーボード信号入力を生成するように構成され得る。ディスプレイ１４０は、ユーザにより入力された情報又はユーザに対して提供される情報及びモバイルフォンの様々なメニューを表示するように構成され得、さらにユーザ入力を受け入れてもよい。センサ１５０は、光学センサ、モーションセンサ、又は他のセンサでもよい。オーディオ回路１６０は、ユーザとモバイルフォンとの間のオーディオインターフェースを提供し得る。Ｉ／Ｏサブシステム１７０は、外部入力／出力デバイスを制御するように構成され、外部デバイスは、入力コントローラ、センサコントローラ、及びディスプレイコントローラを含んでもよい。プロセッサ１８０は、モバイルフォン１１の制御センターであり、様々なインターフェース及びラインを使用することによりモバイルフォン全体の複数部分を接続し、メモリ１２０に記憶されたソフトウェアプログラム及び／又はモジュールを動作させ又は実行することとメモリ１２０に記憶されたデータを呼び出すことによりモバイルフォン１１の様々な機能を実行し、データを処理して、モバイルフォンの全体監視を行う。電源１９０（例えば、バッテリ）は、各コンポーネントに電力を供給するように構成される。好ましくは、電源は、電源管理システムを使用することによりプロセッサ１８０に論理的に接続されて、電源管理システムを使用することにより充電管理、放電管理、及び電力消費管理などの機能を実現してもよい。本出願のこの実施形態において、端末１１は、ＲＦ回路１１０を使用することにより第２のネットワークデバイス１３から同期信号ブロックの構成情報を受信し得る。
【００３７】
図３に示すように、本出願の実施形態におけるネットワークデバイスは、ＲＡＮ内の基地局（例えば、ｇＮＢ）であり得る。基地局は、集約ユニット（centralized  unit、ＣＵ）が分散ユニット（distributed  unit、ＤＵ）から分離されるアーキテクチャでもよい。ＲＡＮは、コアネットワーク（これは例えば、ロングタームエボリューション（long  term  evolution、ＬＴＥ）コアネットワークでもよく、あるいは５Ｇコアネットワークでもよい）に接続され得る。ＣＵとＤＵは、論理的機能の観点からの基地局の分割として理解されてもよい。ＣＵとＤＵは、物理的に分離されてもよく、あるいは物理的に一緒に配置されてもよい。複数のＤＵが、１つのＣＵを共有し得る。代替的に、１つのＤＵが、複数のＣＵに接続されてもよい（図示せず）。ＣＵとＤＵは、インターフェース、例えばＦ１インターフェースを使用することにより接続され得る。ＣＵとＤＵは、無線ネットワークのプロトコルレイヤに基づいて分割されてもよい。例えば、可能な一分割方法は、ＣＵが無線リソース制御（radio  resource  control、ＲＲＣ）レイヤ、サービスデータ適応プロトコル（service  data  adaptation  protocol、ＳＤＡＰ）レイヤ、及びパケットデータ収束プロトコル（packet  data  convergence  protocol、ＰＤＣＰ）レイヤの機能を実行するように構成され、ＤＵが無線リンク制御（radio  link  control、ＲＬＣ）レイヤ、媒体アクセス制御（media  access  control、ＭＡＣ）レイヤ、物理（physical）レイヤなどの機能を実行するように構成されることである。プロトコルレイヤに基づくＣＵ及びＤＵの処理機能の分割は一例にすぎず、ＣＵ及びＤＵの処理機能は代替的に別の方法で分割されてもよいことが理解され得る。例えば、ＣＵ又はＤＵは、分割の後、さらなるプロトコルレイヤの機能を有してもよい。代替的に、例えば、ＣＵ又はＤＵは、分割の後、プロトコルレイヤのいくつかの処理機能を有してもよい。一設計において、ＲＬＣレイヤのいくつかの機能とＲＬＣレイヤの上のプロトコルレイヤの機能はＣＵに設定され、ＲＬＣレイヤの残りの機能とＲＬＣレイヤの下のプロトコルレイヤの機能はＤＵに設定される。別の設計において、ＣＵ又はＤＵの機能は、代替的に、サービスタイプ又は別のシステム要件に基づいて分割されてもよい。例えば、分割は、遅延に基づいて行われる。処理時間が遅延要件を満たす必要のある機能はＤＵにより提供され、遅延要件を満たす必要のない機能はＣＵにより提供される。図３に示すネットワークアーキテクチャは、５Ｇ通信システムに適用されてもよく、代替的に、１つ以上のコンポーネント又はリソースをＬＴＥシステムと共有してもよい。別の設計において、ＣＵは、代替的に、コアネットワークの１つ以上の機能を有してもよい。１つ以上のＣＵが、集約方式又は分離方式で配置され得る。例えば、ＣＵは、集約管理のためにネットワーク側に配置されてもよい。ＤＵは、複数の無線周波数機能を有してもよく、無線周波数機能は、リモートで（remotely）設定されてもよい。
【００３８】
ＣＵの機能は、１つのエンティティにより実装されてもよく、あるいは異なるエンティティにより実装されてもよい。例えば、ＣＵの機能は、さらに分割されてもよい。例えば、制御プレーン（control  panel、ＣＰ）はユーザプレーン（user  panel、ＵＰ）から分離され、すなわち、ＣＵの制御プレーン（ＣＵ‐ＣＰ）はＣＵのユーザプレーン（ＣＵ‐ＵＰ）から分離される。例えば、ＣＵ‐ＣＰとＣＵ‐ＵＰは、異なる機能エンティティにより実現されてもよい。ＣＵ‐ＣＰとＣＵ‐ＵＰは、基地局の機能を連帯的に実現するように、ＤＵに結合され得る。
【００３９】
可能な一方式において、第１のネットワークデバイス１２と第２のネットワークデバイス１３が基地局である一例を用いて、基地局のハードウェアアーキテクチャを説明する。図４に示すように、基地局１２は、構築ベースバンドユニット（building  baseband  unit、ＢＢＵ）１２０１及びリモート無線周波数モジュール（リモート無線ユニット（remote  radio  unit）、ＲＲＵ）１２０２を含み得る。ＲＲＵ１２０２は、アンテナフィーダ（antenna  feeder）システム（すなわち、アンテナ）１２０３に接続される。ＢＢＵ１２０１とＲＲＵ１２０２は、要件に従って使用のために分解されてもよい。アンテナ１２０３はアンテナアレイでもよく、複数のサブアンテナ、すなわちアレイ素子を含む。基地局は、コードブックを使用することによりアンテナドメイン信号を処理してビームドメイン信号に変換し、これらのアレイ素子の方向角を制御してもよい。本出願のこの実施形態において、基地局は、アレイ素子の一部を、固定コードブックを使用することにより変調されるように、他の部分を、ランダムコードブックを使用することにより変調されるように制御し得る。基地局は、マクロ基地局、マイクロ基地局（スモールセルとも呼ばれる）、中継局、及びアクセスポイントなどの様々な形態の基地局を含んでよい。本出願のこの実施形態において、第１のネットワークデバイス１２と第２のネットワークデバイス１３は、ＲＲＵ１２０２とアンテナフィーダシステム（すなわち、アンテナ）１２０３を使用することにより同期信号ブロックの構成情報を互いに交換し得る。端末１１の近隣セル情報を構成するとき、第１のネットワークデバイス１２又は第２のネットワークデバイス１３は同期信号ブロックの構成情報を端末１１に送信することができ、それにより、端末１１はセル定義の同期信号ブロックのみを測定することができ、これにより、端末の電力消費を低減させる。
【００４０】
本出願の一実施形態は、通信方法を提供する。図５に示すように、本方法は以下のステップを含み得る。
【００４１】
Ｓ１０１：第１のネットワークデバイスが第１の情報を決定する。
【００４２】
第１の情報は、同期信号ブロックに関連する情報を含む。任意で、本出願のこの実施形態における同期信号ブロックは、同期信号（synchronization  signal、ＳＳ）、同期信号／物理報知チャネルブロック（synchronization  signal/physical  broadcast  channel  block、ＳＳ／ＰＢＣＨブロック）などでもよい。これは、本出願のこの実施形態において限定されない。
【００４３】
可能な一方式において、本出願のこの実施形態における同期信号ブロックは、第１のネットワークデバイスの第１のセル又は第１のキャリアの少なくとも１つの同期信号ブロックでもよい。任意で、第１のセルは１つ以上のセルでもよい。任意で、第１のキャリアは１つ以上のキャリアでもよい。
【００４４】
別の可能な方式において、同期信号ブロックは、第２のネットワークデバイスの第２のセル又は第２のキャリアの少なくとも１つの同期信号ブロックでもよい。任意で、第２のセルは１つ以上のセルでもよい。任意で、第２のキャリアは１つ以上のキャリアでもよい。
【００４５】
１つのセル又は１つのキャリアは、周波数ドメインにおいて複数の同期信号ブロックを有することがあり、各同期信号ブロックは、１つの周波数に対応する。任意で、第１の情報は、同期信号ブロックのタイプ情報を含んでもよい。可能な一方式において、第１の情報は、同期信号ブロックの周波数情報をさらに含んでもよい。
【００４６】
可能な一実装において、同期信号ブロックのタイプ情報は、同期信号ブロックがセル定義の同期信号ブロック又は非セル定義の同期信号ブロックであることを示すために使用される。同期信号ブロックがセル定義の同期信号ブロックである場合、それは、同期信号ブロックが初期アクセス、在圏（camping）、セル再選択、又はセル選択をサポートすることを示すことが理解され得る。同期信号ブロックが非セル定義の同期信号ブロックである場合、同期信号ブロックは初期アクセス、在圏、セル再選択、又はセル選択をサポートしない。
【００４７】
代替的に、別の可能な実装において、同期信号ブロックのタイプ情報は、同期信号ブロックが初期アクセス、在圏、セル再選択、又はセル選択をサポートするかどうかを示すために使用される。
【００４８】
代替的に、さらに別の可能な実装において、同期信号ブロックのタイプ情報は、同期信号ブロックが基本システム情報を送信するために使用されるかどうかを示すために使用される。５Ｇ通信ネットワークにおいて、本明細書における基本システム情報は、例えば、システム情報ブロック（system  information  blocks、ＳＩＢ）１情報でもよい。４Ｇ通信ネットワークにおいて、本明細書における基本システム情報は、例えば、ＳＩＢ１情報及びＳＩＢ２情報でもよい。任意で、同期信号ブロックがＳＩＢ１情報を送信するために使用される場合、同期信号ブロックは初期アクセス、在圏、セル再選択、又はセル選択をサポートする。同期信号ブロックがＳＩＢ１情報を送信するために使用されない場合、同期信号ブロックは初期アクセス、在圏、セル再選択、又はセル選択をサポートしない。
【００４９】
任意で、同期信号ブロックのタイプがセル定義の同期信号ブロック又は非セル定義の同期信号ブロックを示す効果は、同期信号ブロックのタイプが、同期信号ブロックが初期アクセス、在圏、セル再選択、又はセル選択をサポートするかどうかを示し、あるいは同期信号ブロックが基本システム情報を送信するために使用されるかどうかを示す効果と同等であると理解されてもよい。
【００５０】
任意で、同期信号ブロックのタイプ情報は、少なくとも１ビットを使用することにより示されてもよい。例えば、０であるビット値が、非セル定義の同期信号ブロックを示し、あるいは同期信号ブロックが初期アクセス、在圏、セル再選択、又はセル選択をサポートしないことを示し、あるいは同期信号ブロックが基本システム情報を送信するために使用されないことを示す。１であるビット値が、セル定義の同期信号ブロックを示し、あるいは同期信号ブロックが初期アクセス、在圏、セル再選択、又はセル選択をサポートすることを示し、あるいは同期信号ブロックが基本システム情報を送信するために使用されることを示す。代替的に、１であるビット値が、非セル定義の同期信号ブロックを示し、あるいは同期信号ブロックが初期アクセス、在圏、セル再選択、又はセル選択をサポートしないことを示し、あるいは同期信号ブロックが基本システム情報を送信するために使用されないことを示す。０であるビット値が、セル定義の同期信号ブロックを示し、あるいは同期信号ブロックが初期アクセス、在圏、セル再選択、又はセル選択をサポートすることを示し、あるいは同期信号ブロックが基本システム情報を送信するために使用されることを示す。代替的に、１又は０であるビット値が、セル定義の同期信号ブロックを示すため、あるいは同期信号ブロックが初期アクセス、在圏、セル再選択、又はセル選択をサポートすることを示すため、あるいは同期信号ブロックが基本システム情報を送信するために使用されることを示すために使用されてもよいことが理解され得る。しかしながら、非セル定義の同期信号ブロック、又は初期アクセス、在圏、セル再選択、又はセル選択をサポートしない同期信号ブロック、又は基本システム情報を送信するために使用されない同期信号ブロックは、デフォルトで示されなくてもよい。代替的に、１又は０であるビット値が、同期信号ブロックが初期アクセス、在圏、セル再選択、又はセル選択をサポートしないことを示すため、あるいは同期信号ブロックが基本システム情報を送信するために使用されないことを示すために使用されてもよい。しかしながら、セル定義の同期信号ブロック、又は初期アクセス、在圏、セル再選択、又はセル選択をサポートする同期信号ブロック、又は基本システム情報を送信する同期信号ブロックは、デフォルトで示されない。同期信号ブロックのタイプを指示する方法は、本出願のこの実施形態において限定されない。
【００５１】
第１の情報は、端末が全ての周波数をブラインドサーチすることを防ぐのに役立ち、端末は、初期アクセス、在圏、セル再選択、又はセル選択に使用できる同期信号ブロック（すなわち、セル定義の同期信号ブロック）のみを測定する。これは、端末が初期アクセス、在圏、セル再選択、又はセル選択を行うとき同期信号ブロックを測定するための電力消費を低減することができる。
【００５２】
任意で、別の可能な方式において、第１の情報は、少なくとも１つの示された同期信号ブロックのオフセット（offset）／インデックス（index）情報を含んでもよく、少なくとも１つの示された同期信号ブロックの周波数情報は、既存の周波数情報とオフセット（offset）／インデックス（index）情報を参照して決定されてもよい。
【００５３】
任意で、第１の情報は、補助構成情報（auxiliary  configuration  information）をさらに含んでもよく、補助構成情報は、周波数ドメインにおける同期信号ブロックのサブキャリア間隔を示すために使用される情報、同期信号ブロックの測定情報、近隣セルとサービングセルとの間又は近隣セルの同期信号ブロックとサービング同期信号ブロック（serving  synchronization  signal  block）との間でタイミング同期が達成されるかどうかを示すために使用される情報、及び同期信号ブロックが時間ドメインにおいて同期されているかどうかを判定するために使用される情報のうち、任意の１つ又は任意の組み合わせを含んでもよい。第１の情報は、前述の補助構成情報と同期信号ブロックのタイプ情報のうち少なくとも１つを含んでもよいことが理解され得る。これは、本出願のこの実施形態において限定されない。任意で、第１の情報は、既存のメッセージ又は専用のメッセージを使用することにより送信されてもよい。例えば、第１の情報は構成情報でもよい。
【００５４】
同期信号ブロックの測定情報は、時間ドメインにおける同期信号ブロックの位置を示すために使用される。例えば、測定情報は、時間ドメインにおける同期信号ブロックの測定周期、測定ウィンドウ、開始時間、相対オフセット、及び測定持続時間のうち少なくとも１つを含んでもよい。同期信号ブロックが時間ドメインにおいて同期されているかどうかを判定するために使用される情報には、システムフレーム番号（system  frame  number、ＳＦＮ）及び／又はタイムスタンプ情報を含んでもよい。
【００５５】
同期信号ブロックの補助構成情報は、端末が同期信号ブロックの位置をさらに迅速に決定するのに役立ち、それにより、サーチプロセスを短縮することができ、端末が初期アクセス、在圏、セル再選択、又はセル選択を実行するときに同期信号ブロックを測定するための電力消費を低減することができる。
【００５６】
可能な一方式において、補助構成情報は、代替的に、同期信号ブロックのタイプ情報から独立していてもよい。換言すれば、本出願の一実施形態において、第１の情報は、補助構成情報を含み得るが同期信号ブロックのタイプ情報を含まない。
【００５７】
第１のネットワークデバイスは、リソース使用情報又は他の情報に基づいて第１の情報を決定してもよいことが理解され得る。任意で、本出願のこの実施形態におけるリソース使用情報は、以下の情報、すなわち、負荷情報、物理リソースブロック使用率、輻輳情報、及び搬送ユーザ数のうちの少なくとも１つを含んでもよい。第１の情報を決定する方法は、本出願のこの実施形態において限定されない。
【００５８】
Ｓ１０２：第１のネットワークデバイスが第１の情報を第２のネットワークデバイスに送信する。
【００５９】
可能な一実装において、第１のネットワークデバイスと第２のネットワークデバイスの双方が基地局である。言い換えると、第１のネットワークデバイスと第２のネットワークデバイスとの間の相互作用は、基地局間の相互作用である。任意で、第１のネットワークデバイスは、第２のネットワークデバイスとのＸｎインターフェースを有する少なくとも１つのネットワークデバイスである。第２のネットワークデバイスは、端末に対してサービスを提供するネットワークデバイスである。
【００６０】
別の可能な実装において、第１のネットワークデバイスはＣＵであり、第２のネットワークデバイスはＤＵである。代替的に、第１のネットワークデバイスはＤＵであり、第２のネットワークデバイスはＣＵである。言い換えると、第１のネットワークデバイスと第２のネットワークデバイスとの間の相互作用は、ＣＵとＤＵとの間の相互作用である。任意で、第１のネットワークデバイスは、第２のネットワークデバイスとのＦ１インターフェースを有する少なくとも１つのネットワークデバイスである。
【００６１】
例えば、第１のネットワークデバイスと第２のネットワークデバイスの双方が基地局である。基地局間にＸｎ接続を確立するプロセスにおいて、基地局のセル情報又はキャリア情報が交換され得る。例えば、セル情報は、セルグローバル識別子（cell  global  identifier、ＣＧＩ）、物理セル識別子（physical  cell  identifier、ＰＣＩ）、及び現在基地局のセルの周波数情報のうち少なくとも１つでもよい。例えば、キャリア情報は、現在基地局のキャリアの周波数情報及び周波数ドメイン帯域幅情報のうち少なくとも１つでもよい。
【００６２】
本出願のこの実施形態では、基地局間のＸｎ接続を確立するプロセスにおいて、第１のネットワークデバイスと第２のネットワークデバイスは、第１の情報をさらに交換し得る。同期信号ブロックは、第１のネットワークデバイスの第１のセル又は第１のキャリアの少なくとも１つの同期信号ブロックでもよい。
【００６３】
第２のネットワークデバイスは、少なくとも１つの第１のネットワークデバイスから第１の情報を受信し得ることが理解され得る。
【００６４】
任意で、図５に示すように、前述の方法は、ステップＳ１０３、又はステップＳ１０３及びＳ１０４をさらに含んでもよい。
【００６５】
Ｓ１０３：第２のネットワークデバイスが第２の情報を送信する。
【００６６】
任意で、第２の情報が第２のネットワークデバイスにより送信され、対応して、端末は第２の情報を受信する。
【００６７】
第２の情報は、第１の情報に基づいて決定され、同期信号ブロックに関連する情報を含んでもよいことが理解され得る。任意で、第２の情報は、ステップＳ１０１における補助構成情報をさらに含んでもよい。第１の情報を受信した後、第２のネットワークデバイスは、複数の異なる実装において、例えば以下の方式（１）及び（２）のいずれかで、第２の情報を端末に送信してもよい。これは、本出願のこの実施形態において限定されない。
【００６８】
方式（１）：第２の情報は、少なくとも１つの同期信号ブロックを示すために使用され得る。可能な一方式において、第２の情報は、少なくとも１つの示された同期信号ブロックの周波数情報を含んでもよい。別の可能な方式において、第２の情報は、少なくとも１つの示された同期信号ブロックのオフセット（offset）／インデックス（index）情報を含んでもよく、少なくとも１つの示された同期信号ブロックの周波数情報は、既存の周波数情報とオフセット（offset）／インデックス（index）情報を参照して決定されてもよい。
【００６９】
本明細書における第２の情報に示される少なくとも１つの同期信号ブロックの各々は、セル定義の同期信号ブロックでもよいことが理解され得る。上述のように、セル定義の同期信号ブロックは、初期アクセス、在圏、セル再選択、又はセル選択をサポートする同期信号ブロックとして参照されてもよく、あるいは基本システム情報を送信するために使用される同期信号ブロックとして参照されてもよい。本明細書における第２の情報により示される少なくとも１つの同期信号ブロックは、端末のサービングセルの同期信号ブロック及び／又は端末のサービングセルの近隣セルの同期信号ブロックを含んでもよいことが理解され得る。第２の情報は、第１の情報に基づいて決定され得る。サービングセルの近隣セルは、サービングセルの同周波数（intra-frequency）近隣セル、異周波数（inter-frequency）近隣セル、又は異システム（inter-system）近隣セルでもよい。例えば、第２のネットワークデバイスは、第１の情報に基づいて、セル定義の同期信号ブロックである同期信号ブロックの情報を習得して、これらの同期信号ブロックを示すために使用される情報（例えば、周波数情報）を端末に送信してもよい。
【００７０】
前述の方式において、第２のネットワークデバイスは、全ての同期信号ブロックの周波数情報の代わりにセル定義の同期信号ブロックの周波数情報を端末に送信し、それにより、端末は、初期アクセス、在圏、セル再選択、又はセル選択の間、これらの周波数で同期信号ブロックを直接測定することができ、これにより、端末が初期アクセス、在圏、セル再選択、又はセル選択を行うとき同期信号ブロックを測定するための電力消費を低減する。
【００７１】
方式（２）：第２の情報は、少なくとも１つの同期信号ブロックの周波数情報及びタイプ情報を含み得る。
【００７２】
上述のように、１ビットを使用して、同期信号ブロックのタイプ情報を示してもよい。例えば、０は、非セル定義の同期信号ブロックを示し、あるいは同期信号ブロックが初期アクセス、在圏、セル再選択、又はセル選択をサポートしないことを示し、あるいは同期信号ブロックが基本システム情報を送信するために使用されないことを示し、１は、セル定義の同期信号ブロックを示す。代替的に、１は、非セル定義の同期信号ブロックを示し、０は、セル定義の同期信号ブロックを示す。可能な一実装において、サービングセルにより端末に送られる近隣セル情報（neighbor  information）は、近隣セルのセル情報又はキャリア情報と、近隣セルの少なくとも１つの同期信号ブロックの周波数情報及びタイプ情報を含んでもよい。近隣セルのセル情報は、Ｅ‐ＵＴＲＡＮセルグローバル識別子（E-UTRAN  cell  global  identifier、ＥＣＧＩ）及び物理セル識別子（physical  cell  identifier、ＰＣＩ）のうち少なくとも１つを含んでもよい。近隣セルのキャリア情報は、周波数情報及びキャリア帯域幅のうち少なくとも１つを含んでもよい。一例示的な実装が表１に示され、表１により示される近隣セル情報は、近隣セルのセル情報と、近隣セルの同期信号ブロックの周波数情報及びタイプ情報を含む。
【表１】
2021522750.tif 000003
【００７３】
ＮＲ  ＡＲＦＣＮは、同期信号ブロックの周波数情報を示す。本実施形態では、ＳＳＢの周波数情報がＡＲＦＣＮである一例を用いる。具体的には、ＮＲ  ＡＲＦＣＮは、表１のＳＳＢに対応する。任意で、ＳＳＢの周波数情報は、グローバル同期チャネル番号（global  sync  raster  channel  number、ＧＳＣＮ）として参照されてもよい。表から、ＳＳＢ１の周波数における同期信号ブロックのタイプ情報は１であり、これは該周波数における同期信号ブロックがセル定義の同期信号ブロックであることを示し得、ＳＳＢ２の周波数における同期信号ブロックのタイプ情報は０であり、これは該周波数における同期信号ブロックが非セル定義の同期信号ブロックであることを示し得ることが習得できる。
【００７４】
別の可能な方式において、第２の情報は、少なくとも１つの示された同期信号ブロックのオフセット（offset）／インデックス（index）情報及びタイプ情報を含んでもよく、少なくとも１つの示された同期信号ブロックの周波数情報は、既存の周波数情報とオフセット（offset）／インデックス（index）情報を参照して決定されてもよい。
【００７５】
第２の情報は、第１の情報に基づいて決定される。例えば、第２のネットワークデバイスは、第１の情報を端末に送信してもよく、あるいは、第２のネットワークデバイスが第１の情報に基づいて処理を行った後、第２のネットワークデバイスは、端末に通知される必要のある同期信号ブロックに関する情報を端末に送信する。これは、本出願のこの実施形態において限定されない。
【００７６】
第２の情報により示される同期信号ブロックは、第１の情報により示される同期信号ブロックの全部又は一部を含んでもよいことが理解され得る。これは、本出願のこの実施形態において限定されない。本出願のこの実施形態において、第１の情報により示される同期信号ブロックは第１の同期信号ブロックと呼ばれることがあり、第２の情報により示される同期信号ブロックは第２の同期信号ブロックと呼ばれることがある。
【００７７】
任意で、第２の情報は、既存のメッセージ又は専用のメッセージを使用することにより送信されてもよいことが理解され得る。これは、本出願のこの実施形態において限定されない。
【００７８】
Ｓ１０４：端末がセル定義の同期信号ブロックを測定する。
【００７９】
第２のネットワークデバイスから第２の情報を受信した後、端末は、第２の情報に基づいてセル定義の同期信号ブロックを測定し得る。セル定義の同期信号ブロックを測定する機会は、本出願において限定されない。任意で、端末は、初期アクセス、在圏、セル再選択、又はセル選択の間、セル定義の同期信号ブロックを測定してもよい。
【００８０】
任意で、第２の情報が、セル定義の第２の同期信号ブロックの周波数情報を含む場合、端末は、第２の同期信号ブロックの周波数情報に基づいてセル定義の第２の同期信号ブロックを測定してもよい。端末は、アイドル状態、非アクティブ状態、又は他の非接続状態の端末でもよく、あるいは接続状態の端末でもよい。
【００８１】
任意で、第２の情報が、第２の同期信号ブロックの周波数情報及びタイプ情報を含む場合、端末は、第２の同期信号ブロックの周波数情報に基づいて、タイプ情報により示されるセル定義の第２の同期信号ブロックを測定してもよい。この場合、端末は、アイドル状態、非アクティブ状態、又は他の非接続状態の端末でもよく、あるいは接続状態の端末でもよい。任意で、端末は、第２の同期信号ブロックの周波数情報に基づいて、タイプ情報により示される非セル定義の第２の同期信号ブロックをさらに測定してもよい。この場合、端末は接続状態の端末であり得る。
【００８２】
本出願のこの実施形態における通信方法によれば、第１のネットワークデバイスは、同期信号ブロックの第１の情報を第２のネットワークデバイスに送信し、第１の情報は、同期信号ブロックがセル定義の同期信号ブロック又は非セル定義の同期信号ブロックであることを示すタイプ情報を含む。第２のネットワークデバイスは、端末に対してセル定義の同期信号ブロックを構成し、あるいは、第２のネットワークデバイスは、少なくとも１つの同期信号ブロックを構成する周波数情報及びタイプ情報を端末に対して示し、それにより、端末は、周波数ドメインにおけるセル定義の同期信号ブロックの位置を決定する。本出願のこの実施形態における通信方法によれば、端末は、全ての周波数をブラインドサーチすることを防止され、初期アクセス、在圏、セル再選択、又はセル選択に使用できる同期信号ブロック（すなわち、セル定義の同期信号ブロック）のみを測定することができる。これは、端末が初期アクセス、在圏、セル再選択、又はセル選択を行うとき同期信号ブロックを測定するための電力消費を低減することができる。
【００８３】
端末は、第２の情報を受信した後、Ｓ１０４の方式で動作を実行することに限定されず、第２の情報を使用することにより他の処理をさらに行ってもよいことが理解され得る。例えば、接続状態の端末は、第２の情報に基づいて非セル定義の同期信号ブロックをさらに測定してもよい。これは、本出願のこの実施形態において限定されない。
【００８４】
以下では、第１のネットワークデバイスと第２のネットワークデバイスの双方が基地局である一例を用いることにより前述の通信方法について説明する。このケースでは、第１のネットワークデバイスは第１の基地局と呼ばれることがあり、第２のネットワークデバイスは第２の基地局と呼ばれることがある。
【００８５】
任意で、図６に示すように、通信方法は以下のステップを含み得る。
【００８６】
Ｓ２０１：第１の基地局が第１の情報を決定する。
【００８７】
第１の情報は、第１の基地局の第１のセル又は第１のキャリアの少なくとも１つの同期信号ブロックのタイプ情報を含む。
【００８８】
可能な一方式において、第１の基地局は、第１の基地局の第１のセル又は第１のキャリアのリソース使用情報に基づいて第１の情報を決定し得る。リソース使用情報については、本出願の前述の実施形態における説明を参照する。
【００８９】
例えば、リソース使用情報は輻輳情報である。第１の基地局が、第１の基地局の第１のセル又は第１のキャリアの輻輳率に基づいて、比較的大量のリソースが第１のセル又は第１のキャリアで使用されていると判定した場合、第１の基地局は、第１の基地局の第１のセル又は第１のキャリアの少なくとも１つの同期信号ブロックを非セル定義の同期信号ブロックとして構成して、初期アクセス、在圏、セル再選択、又はセル選択を通じて対応するセル又はキャリアに移動する端末の数量を低減してもよく、これにより、輻輳率を低減する。例えば、１つ以上のセル定義の同期信号ブロックが、非セル定義の同期信号ブロックとして再構成されてもよい。代替的に、第１の基地局が、第１のセル又は第１のキャリアにおける輻輳率に基づいて、比較的少量のリソースが第１のセル又は第１のキャリア内で使用されていると判定した場合、第１の基地局は、第１のセル又は第１のキャリアの少なくとも１つの同期信号ブロックをセル定義の同期信号ブロックとして構成してもよく、例えば、１つ以上の非セル定義の同期信号ブロックをセル定義の同期信号ブロックとして再構成してもよい。
【００９０】
ステップＳ２０１の関連する内容については、ステップＳ１０１の関連する説明をさらに参照する。
【００９１】
Ｓ２０２：第１の基地局が第１の情報を第２の基地局に送信する。
【００９２】
例えば、第１の情報は、Ｘｎセットアップ要求（setup  request）メッセージ、次世代無線アクセスネットワーク（next  generation  radio  access  networks、ＮＧ‐ＲＡＮ）ノード構成更新（node  configuration  update）メッセージ、又は他の基地局間のＸｎメッセージにおいて搬送されてもよい。これは、本出願のこの実施形態において限定されない。
【００９３】
任意で、第２の基地局は、確認応答（acknowledgment）メッセージを第１の基地局に送信してもよい。
【００９４】
確認応答メッセージは、第１の基地局により第２の基地局に送信されたメッセージに確認応答する（acknowledge）ために使用される。例えば、Ｘｎセットアップ要求メッセージに対応して、確認応答メッセージはＸｎセットアップ応答（setup  response）メッセージであり、ＮＧ‐ＲＡＮノード構成更新メッセージに対応して、確認応答メッセージはＮＧ‐ＲＡＮノード構成更新確認応答（node  configuration  update  acknowledge）メッセージであり、あるいは、確認応答メッセージは他の基地局間のＸｎ確認応答メッセージでもよい。これは、本出願のこの実施形態において限定されない。
【００９５】
任意で、確認応答メッセージは、第２の基地局の少なくとも１つの同期信号ブロックのタイプ情報をさらに含んでもよい。
【００９６】
図６に示すように、通信方法は、ステップＳ２０３、又はステップＳ２０３及びＳ２０４をさらに含んでもよい。
【００９７】
Ｓ２０３：第２の基地局が第２の情報を端末に送信する。
【００９８】
対応して、端末は第２の情報を受信する。
【００９９】
第２の情報は、第１の情報に基づいて決定され、例えば、第２の情報は、少なくとも１つの同期信号ブロックに関する情報を含んでもよい。本明細書における第２の情報の少なくとも１つの同期信号ブロックは、端末のサービングセルの同期信号ブロック、及び／又は端末のサービングセルの近隣セルの同期信号ブロックを含んでもよいことが理解され得る。第２の情報は、第１の情報に基づいて決定され得る。サービングセルの近隣セルは、サービングセルの同周波数近隣セル、異周波数近隣セル、又は異システム近隣セルでもよい。
【０１００】
第２の情報により示される同期信号ブロックは、第１の情報により示される同期信号ブロックの全部又は一部を含んでもよいことが理解され得る。これは、本出願のこの実施形態において限定されない。本出願のこの実施形態において、第１の情報により示される同期信号ブロックは第１の同期信号ブロックと呼ばれることがあり、第２の情報により示される同期信号ブロックは第２の同期信号ブロックと呼ばれることがある。
【０１０１】
Ｓ２０４：端末がセル定義の同期信号ブロックを測定する。
【０１０２】
ステップＳ２０４については、ステップＳ１０４の説明をさらに参照する。
【０１０３】
前述のステップによれば、第２の基地局は、端末に対して、サービングセル又は近隣セルのセル定義の同期信号ブロック、又は同期信号ブロックの周波数情報及びタイプ情報を示す。この場合、端末は、初期アクセス、在圏、セル再選択、又はセル選択を行うときセル定義の同期信号ブロックのみを測定してもよく、それにより、端末が初期アクセス、在圏、セル再選択、又はセル選択を行うとき同期信号ブロックを測定するための電力消費が低減される。
【０１０４】
以下では、第１のネットワークデバイスがＤＵであり第２のネットワークデバイスがＣＵである一例を用いることにより前述の通信方法について説明する。
【０１０５】
任意で、可能な一実装において、図７に示すように、通信方法は以下のステップを含み得る。
【０１０６】
Ｓ３０１：ＤＵが第１の情報を決定する。
【０１０７】
第１の情報は、ＤＵの第１のセル又は第１のキャリアの少なくとも１つの同期信号ブロックのタイプ情報を含む。
【０１０８】
可能な一方式において、ＤＵは、ＤＵの第１のセル又は第１のキャリアのリソース使用情報に基づいて第１の情報を決定し得る。リソース使用情報については、本出願の前述の実施形態における説明を参照する。
【０１０９】
例えば、リソース使用情報は輻輳情報である。ＤＵが、ＤＵの第１のセル又は第１のキャリアにおける輻輳率に基づいて、比較的大量のリソースが第１のセル又は第１のキャリアにおいて使用されていると判定した場合、ＤＵは、ＤＵの第１のセル又は第１のキャリアの少なくとも１つの同期信号ブロックを非セル定義の同期信号ブロックとして構成して、初期アクセス、在圏、セル再選択、又はセル選択を通じて対応するセル又はキャリアに移動する端末の数量を低減してもよく、これにより、輻輳率を低減する。例えば、１つ以上のセル定義の同期信号ブロックが、非セル定義の同期信号ブロックとして再構成されてもよい。代替的に、ＤＵが、第１のセル又は第１のキャリアにおける輻輳率に基づいて、比較的少量のリソースが第１のセル又は第１のキャリア内で使用されていると判定した場合、ＤＵは、第１のセル又は第１のキャリアの少なくとも１つの同期信号ブロックをセル定義の同期信号ブロックとして構成してもよく、例えば、１つ以上の非セル定義の同期信号ブロックをセル定義の同期信号ブロックとして再構成してもよい。
【０１１０】
別の可能な方式において、ＣＵは、ＣＵのリソース使用情報をＤＵに送信してもよい。ＤＵが、ＣＵからＣＵのリソース使用情報を受信した後、ＤＵは、ＣＵのリソース使用情報に基づいて、ＤＵの第１のセル又は第１のキャリアの少なくとも１つの同期信号ブロックのタイプ情報を決定してもよい。ＤＵはさらに、第１のセル又は第１のキャリアのリソース使用情報とＣＵのリソース使用情報を参照して第１の情報を決定してもよいことが理解され得る。第１の情報を決定する方法は、本出願のこの実施形態において限定されない。
【０１１１】
Ｓ３０２：ＤＵが第１の情報をＣＵに送信する。
【０１１２】
第１の情報は、ＤＵの第１のセル又は第１のキャリアの少なくとも１つの同期信号ブロックのタイプ情報を含み得る。任意で、第１の情報は、ステップＳ１０１における補助構成情報をさらに含んでもよい。
【０１１３】
例えば、第１の情報は、リセット（reset）メッセージ、Ｆ１セットアップ要求（setup  request）メッセージ、基地局分散ユニット（gNode  B  distributed  unit、ＧＮＢ‐ＤＵ）構成更新（configuration  update）メッセージ、又は別のＦ１メッセージで搬送されてもよい。これは、本出願のこの実施形態において限定されない。
【０１１４】
任意で、ＣＵは、確認応答メッセージをＤＵに送信してもよい。
【０１１５】
確認応答メッセージは、ＤＵによりＣＵに送信されたメッセージに確認応答するために使用される。例えば、リセットメッセージに対応して、確認応答メッセージはリセット確認応答（reset  acknowledge）メッセージであり、Ｆ１セットアップ要求メッセージに対応して、確認応答メッセージはＦ１セットアップ応答（setup  response）メッセージであり、ＧＮＢ‐ＤＵ構成更新メッセージに対応して、確認応答メッセージはＧＮＢ‐ＤＵ構成更新確認応答（configuration  update  acknowledge）メッセージであり、あるいは、確認応答メッセージは別のＦ１メッセージでもよい。これは、本出願のこの実施形態において限定されない。
【０１１６】
任意で、図７に示すように、通信方法は、ステップＳ３０３、又はステップＳ３０３及びＳ３０４をさらに含んでもよい。
【０１１７】
Ｓ３０３：ＣＵが第２の情報を送信する。
【０１１８】
任意で、ＣＵは第２の情報をＤＵに送信し、端末は第２の情報を受信する。
【０１１９】
本明細書における第２の情報により示される少なくとも１つの同期信号ブロックは、端末のサービングセルの同期信号ブロック、及び／又は端末のサービングセルの近隣セルの同期信号ブロックを含んでもよいことが理解され得る。第２の情報は、第１の情報に基づいて決定され得る。サービングセルの近隣セルは、サービングセルの同周波数近隣セル、異周波数近隣セル、又は異システム近隣セルでもよい。
【０１２０】
可能な一方式において、ＣＵは、専用のシグナリングを使用することにより、第２の情報をアクティブ状態の端末に送信し得る。代替的に、ＣＵは、システムメッセージを使用することにより、第２の情報をアイドル状態、非アクティブ状態、又は他の非接続状態の端末に送信してもよい。
【０１２１】
第２の情報については、前述の実施形態における関連する説明をさらに参照する。
【０１２２】
ＣＵ‐ＤＵアーキテクチャにおいて、ステップＳ３０３を実行するＣＵは部分的に又は完全にＤＵと置き換えられてもよいことが理解され得る。例えば、ＤＵは、第２の情報を端末に送信し得る。第２の情報により示される少なくとも１つの同期信号ブロックは、端末のサービングセルの同期信号ブロックを含んでもよい。ＤＵが、ＣＵにより送信され、かつＤＵのセルの近隣セルの同期信号ブロックに関する情報を受信した場合、第２の情報の少なくとも１つの同期信号ブロックは、端末のサービングセルの近隣セルの同期信号ブロックをさらに含んでもよいことが理解され得る。
【０１２３】
第２の情報により示される同期信号ブロックは、第１の情報により示される同期信号ブロックの全部又は一部を含んでもよいことが理解され得る。これは、本出願のこの実施形態において限定されない。本出願のこの実施形態において、第１の情報により示される同期信号ブロックは第１の同期信号ブロックと呼ばれることがあり、第２の情報により示される同期信号ブロックは第２の同期信号ブロックと呼ばれることがある。
【０１２４】
Ｓ３０４：端末がセル定義の同期信号ブロックを測定する。
【０１２５】
ステップＳ３０４については、ステップＳ１０４の説明をさらに参照する。
【０１２６】
前述のステップによれば、ＣＵは、端末に対して、ＤＵの第１のセル又は第１のキャリアのセル定義の同期信号ブロック、又は同期信号ブロックの周波数情報及びタイプ情報を示す。任意で、ＣＵは、端末に対して、ＤＵの第１のセル又は第１のキャリアの近隣セルのセル定義の同期信号ブロック、又は同期信号ブロックの周波数情報及びタイプ情報をさらに示してもよい。この場合、端末は、初期アクセス、在圏、セル再選択、又はセル選択を行うとき近隣セルのセル定義の同期信号ブロックのみを測定してもよく、それにより、端末が初期アクセス、在圏、セル再選択、又はセル選択を行うとき同期信号ブロックを測定するための電力消費が低減される。
【０１２７】
以下では、第１のネットワークデバイスがＣＵであり第２のネットワークデバイスがＤＵである一例を用いることにより前述の通信方法について説明する。
【０１２８】
任意で、可能な一実装において、図８に示すように、通信方法は以下のステップを含み得る。
【０１２９】
Ｓ４０１：ＣＵが第１の情報を決定する。
【０１３０】
第１の情報は、ＤＵの第２のセル又は第２のキャリアの少なくとも１つの同期信号ブロックのタイプ情報を含み得る。
【０１３１】
可能な一方式において、ＣＵは、ＣＵのリソース使用情報に基づいて第１の情報を決定し得る。リソース使用情報については、本出願の前述の実施形態における説明を参照する。
【０１３２】
例えば、リソース使用情報は輻輳情報である。ＣＵが、ＣＵにおける輻輳率に基づいて、比較的大量のリソースがＣＵにおいて使用されていると判定した場合、ＣＵは、ＤＵの第２のセル又は第２のキャリアの少なくとも１つの同期信号ブロックを非セル定義の同期信号ブロックとして構成してもよい。例えば、１つ以上のセル定義の同期信号ブロックが、非セル定義の同期信号ブロックとして再構成されてもよい。代替的に、ＣＵが、ＣＵにおける輻輳率に基づいて、比較的少量のリソースがＣＵにおいて使用されていると判定した場合、ＣＵは、ＤＵの第２のセル又は第２のキャリアの少なくとも１つの同期信号ブロックをセル定義の同期信号ブロックとして構成してもよい。例えば、１つ以上の非セル定義の同期信号ブロックが、セル定義の同期信号ブロックとして再構成されてもよい。
【０１３３】
別の可能な方式において、ＤＵは、ＣＵに対して、ＤＵの第２のセル又は第２のキャリアのリソース使用情報を送信してもよい。ＣＵが、ＤＵから第２のセル又は第２のキャリアのリソース使用情報を受信した後、ＣＵは、第２のセル又は第２のキャリアのリソース使用情報に基づいて第１の情報を決定してもよい。ＣＵはさらに、ＤＵから受信した第２のセル又は第２のキャリアのリソース使用情報とＣＵのリソース使用情報を参照して第１の情報を決定してもよいことが理解され得る。さらに別の可能な方式において、リソース使用情報をＣＵに送信するＤＵは、タイプ情報を決定するためにＣＵにより使用されるＤＵと異なってもよい。例えば、第１のＤＵが、第１のＤＵの第１のセル又は第１のキャリアのリソース使用情報をＣＵに送信し得る。ＣＵが、第１のＤＵから第１のセル又は第１のキャリアのリソース使用情報を受信した後、ＣＵは、第１のセル又は第１のキャリアのリソース使用情報に基づいて第１の情報を決定し得る。第１の情報は、第２のＤＵの第２のセル又は第２のキャリアの少なくとも１つの同期信号ブロックのタイプ情報を含んでもよい。
【０１３４】
第１の情報を決定する方法は、本出願のこの実施形態において限定されない。
【０１３５】
リソース使用情報については、本出願の前述の実施形態における説明を参照する。詳細はここで再度説明されない。
【０１３６】
Ｓ４０２：ＣＵが第１の情報をＤＵに送信する。
【０１３７】
ステップＳ４０１における第１のＤＵ及び第２のＤＵについて、ＣＵは、第１の情報を第１のＤＵ及び／又は第２のＤＵに送信し得る。第１の情報が送られる具体的なＤＵは、ＤＵのリソース使用状態又は他のポリシーに基づいて決定されてもよい。これは、本出願のこの実施形態において限定されない。
【０１３８】
任意で、第１の情報は、ステップＳ１０１における補助構成情報をさらに含んでもよい。
【０１３９】
例えば、第１の情報は、リセット（reset）メッセージ、Ｆ１セットアップ要求（setup  request）メッセージ、基地局集約ユニット（gNode  B  centralized  unit、ＧＮＢ‐ＤＵ）構成更新（configuration  update）メッセージ、又は別のＦ１メッセージで搬送されてもよい。これは、本出願のこの実施形態において限定されない。
【０１４０】
第１の情報は、ＤＵの近隣セルの同期信号ブロックの補助構成情報をさらに含んでもよいことが理解され得る。任意で、第１の情報は、ＤＵの近隣セルの同期信号ブロックの周波数情報、又は周波数情報及びタイプ情報をさらに含んでもよい。
【０１４１】
任意で、ＤＵは、確認応答メッセージをＣＵに送信してもよい。
【０１４２】
確認応答メッセージは、ＣＵによりＤＵに送信されたメッセージに確認応答するために使用される。例えば、リセットメッセージに対応して、確認応答メッセージはリセット確認応答（reset  acknowledge）メッセージであり、Ｆ１セットアップ要求メッセージに対応して、確認応答メッセージはＦ１セットアップ応答（setup  response）メッセージであり、ＧＮＢ‐ＣＵ構成更新メッセージに対応して、確認応答メッセージはＧＮＢ‐ＣＵ構成更新確認応答（configuration  update  acknowledge）メッセージであり、あるいは、確認応答メッセージは別のＦ１メッセージでもよい。これは、本出願のこの実施形態において限定されない。
【０１４３】
任意で、図８に示すように、通信方法は、ステップＳ４０３、又はステップＳ４０３及びＳ４０４をさらに含んでもよい。
【０１４４】
Ｓ４０３：ＤＵが第２の情報を端末に送信する。
【０１４５】
対応して、端末は第２の情報を受信する。
【０１４６】
本明細書における第２の情報の少なくとも１つの同期信号ブロックは、端末のサービングセルの同期信号ブロック、及び／又は端末のサービングセルの近隣セルの同期信号ブロックを含んでもよいことが理解され得る。第２の情報は、第１の情報に基づいて決定され得る。サービングセルの近隣セルは、サービングセルの同周波数近隣セル、異周波数近隣セル、又は異システム近隣セルでもよい。
【０１４７】
可能な一方式において、ＤＵは、システムメッセージを使用することにより、第２の情報をアイドル状態又は非アクティブ状態の端末に送信し得る。この場合、同期信号ブロックは、サービングセルの同期信号ブロックでもよい。代替的に、ＤＵは、システムメッセージを使用することにより、第２の情報をアイドル状態又は非アクティブ状態の端末に送信してもよい。
【０１４８】
ＣＵ‐ＤＵアーキテクチャにおいて、ステップＳ４０３を実行するＤＵは部分的又は完全にＣＵと置き換えられてもよいことが理解され得る。例えば、ＣＵは、第２の情報を端末に送信し得る。第２の情報の少なくとも１つの同期信号ブロックは、端末のサービングセルの同期信号ブロックを含んでもよい。第２の情報の少なくとも１つの同期信号ブロックは、端末のサービングセルの近隣セルの同期信号ブロックをさらに含んでもよいことが理解され得る。
【０１４９】
第２の情報により示される同期信号ブロックは、第１の情報により示される同期信号ブロックの全部又は一部を含んでもよいことが理解され得る。これは、本出願のこの実施形態において限定されない。本出願のこの実施形態において、第１の情報により示される同期信号ブロックは第１の同期信号ブロックと呼ばれることがあり、第２の情報により示される同期信号ブロックは第２の同期信号ブロックと呼ばれることがある。
【０１５０】
Ｓ４０４：端末がセル定義の同期信号ブロックを測定する。
【０１５１】
ステップＳ４０４については、ステップＳ１０４の説明を参照する。
【０１５２】
前述のステップによれば、ＤＵは、端末に対して、ＤＵのサービングセル又は近隣セルのセル定義の同期信号ブロック、又は同期信号ブロックの周波数情報及びタイプ情報を示す。この場合、端末は、初期アクセス、在圏、セル再選択、又はセル選択を行うときこれらのセルのセル定義の同期信号ブロックのみを測定してもよく、それにより、端末が初期アクセス、在圏、セル再選択、又はセル選択を行うとき同期信号ブロックを測定するための電力消費が低減される。
【０１５３】
前述の実施形態において、第１のネットワークデバイスにより実現される動作又はステップは第１のネットワークデバイスで使用できるコンポーネント（例えば、チップ又は回路）により実現されてもよく、第２のネットワークデバイスにより実現される動作又はステップは第２のネットワークデバイスで使用できるコンポーネント（例えば、チップ又は回路）により実現されてもよく、端末により実現される動作又はステップは端末で使用できるコンポーネント（例えば、チップ又は回路）により実現されてもよいことが理解され得る。
【０１５４】
さらに、本出願の実施形態において、「第１」、「第２」等は異なるオブジェクトを示すことを意図したものに過ぎず、示されたオブジェクトに対する他の制限を示すものではないことを理解されたい。
【０１５５】
本出願の一実施形態は、前述の方法における第１のネットワークデバイスの機能を実行するように構成され得る第１の通信装置をさらに提供する。本出願の実施形態において、第１の通信装置は、前述の方法の例に基づいて機能モジュールに分割されてもよい。例えば、各機能モジュールは各対応機能に基づく分割を通じて得られてもよく、あるいは、２つ以上の機能が１つの処理モジュールに統合されてもよい。統合モジュールは、ハードウェアの形態で実現されてもよく、あるいはソフトウェア機能モジュールの形態で実現されてもよい。本出願において、モジュール分割は一例であり、単なる論理機能分割であることに留意されたい。実際の実装において、別の分割方式が使用されてもよい。
【０１５６】
各機能モジュールが各対応機能に基づく分割を通じて得られるとき、図９は、前述の実施形態における第１の通信装置の可能な概略構造図である。第１の通信装置１２は、決定ユニット１２１２及び送信ユニット１２１３を含む。任意で、第１の通信装置１２は、受信ユニット１２１１をさらに含んでもよい。前述のユニットは、図５〜図８のいずれか１つにおける関連方法を実行する際に第１の通信装置をサポートするように構成される。本出願で提供される第１の通信装置は、上記で提供された対応する方法を実行するように構成される。したがって、第１の通信装置により達成され得る対応する特徴及び有益な効果については、上記で提供された対応する方法における有益な効果を参照する。詳細はここで再度説明されない。
【０１５７】
例えば、受信ユニット１２１１は、図７のプロセスＳ３０１及び図８のプロセスＳ４０１を実行する際に第１の通信装置１２をサポートするように構成される。決定ユニット１２１２は、図５のプロセスＳ１０１、図６のプロセスＳ２０１、図７のプロセスＳ３０１、及び図８のプロセスＳ４０１を実行する際に第１の通信装置１２をサポートするように構成される。送信ユニット１２１３は、図５のプロセスＳ１０２、図６のプロセスＳ２０２、図７のプロセスＳ３０２、及び図８のプロセスＳ４０２を実行する際に第１の通信装置１２をサポートするように構成される。前述の方法の実施形態におけるステップの全ての関連する内容は対応する機能モジュールの機能説明で引用されてもよく、詳細はここで再度説明されない。
【０１５８】
可能な一方式において、決定ユニット１２２は、第１の情報を決定するように構成され、第１の情報は同期信号ブロックのタイプ情報を含み、同期信号ブロックのタイプ情報は、同期信号ブロックがセル定義の同期信号ブロック又は非セル定義の同期信号ブロックであることを示すために使用される。送信ユニット１２１３は、第１の情報を第２の通信装置に送信するように構成される。
【０１５９】
可能な一実装において、同期信号ブロックは、第１の通信装置の第１のセル又は第１のキャリアの少なくとも１つの同期信号ブロックである。
【０１６０】
可能な一実装において、同期信号ブロックは、第２の通信装置の第２のセル又は第２のキャリアの同期信号ブロックである。任意で、同期信号ブロックのタイプ情報は、第１の通信装置のリソース使用情報に基づいて決定されてもよい。
【０１６１】
可能な一実装において、同期信号ブロックは、第２の通信装置の第２のセル又は第２のキャリアの同期信号ブロックである。受信ユニット１２１１は、第２の通信装置から第２のセル又は第２のキャリアのリソース使用情報を受信するように構成される。決定ユニット１２１２は、第２の通信装置の第２のセル又は第２のキャリアの同期信号ブロックのタイプ情報を、第２のセル又は第２のキャリアのリソース使用情報に基づいて決定するように構成される。
【０１６２】
可能な一実装において、第１の通信装置は、無線リソース制御ＲＲＣレイヤ、サービスデータ適応プロトコルＳＤＡＰレイヤ、及びパケットデータ収束プロトコルＰＤＣＰレイヤの機能を実行するように構成され、第２の通信装置は、無線リンク制御ＲＬＣレイヤ、媒体アクセス制御ＭＡＣレイヤ、及び物理レイヤの機能を実行するように構成される。
【０１６３】
可能な一実装において、第１の情報は、以下の情報、すなわち、周波数ドメインにおける同期信号ブロックのサブキャリア間隔を示すために使用される情報、同期信号ブロックの測定情報、近隣セルとサービングセルとの間又は近隣セルの同期信号ブロックとサービング同期信号ブロックとの間でタイミング同期が達成されるかどうかを示すために使用される情報、及び同期信号ブロックが時間ドメインにおいて同期されているかどうかを判定するために使用される情報のうち少なくとも１つをさらに含んでもよい。
【０１６４】
図１０は、前述の実施形態における第１の通信装置の別の可能な概略構造図である。第１の通信装置１２は、処理モジュール１２２２及び通信モジュール１２２３を含む。任意で、第１の通信装置１２は、記憶モジュール１２２１をさらに含んでもよい。前述のモジュールは、図５〜図８のいずれか１つにおける関連方法を実行する際に第１の通信装置をサポートするように構成される。本出願で提供される第１の通信装置は、上記で提供された対応する方法を実行するように構成される。したがって、第１の通信装置により達成され得る対応する特徴及び有益な効果については、上記で提供された対応する方法における有益な効果を参照する。詳細はここで再度説明されない。
【０１６５】
可能な一方式において、処理モジュール１２２２は、第１の通信装置１２の動作を制御及び管理し、あるいは対応する処理機能を実行するように構成される。通信モジュール１２２３は、受信ユニット１２１１及び送信ユニット１２１２の機能を実行する際に第１の通信装置１２をサポートするように構成される。記憶モジュール１２２１は、第１の通信装置のプログラムコード及び／又はデータを記憶するように構成される。
【０１６６】
処理モジュール１２２２は、プロセッサ又はコントローラでもよく、例えば、中央処理装置（central  processing  unit、ＣＰＵ）、汎用プロセッサ、デジタル信号プロセッサ（digital  signal  processor、ＤＳＰ）、特定用途向け集積回路（application-specific  integrated  circuit、ＡＳＩＣ）、フィールドプログラマブルゲートアレイ（Field  Programmable  Gate  Array、ＦＰＧＡ）、若しくは他のプログラマブル論理デバイス、トランジスタ論理デバイス、ハードウェアコンポーネント、又はこれらの任意の組み合わせでもよい。処理モジュール１２２２は、本出願で開示される内容を参照して説明される様々な例示的な論理ブロック、モジュール、及び回路を実現し、あるいは実行し得る。プロセッサはさらに、コンピューティング機能を実現するための組み合わせプロセッサ、例えば、１つ以上のマイクロプロセッサの組み合わせ、又はＤＳＰとマイクロプロセッサの組み合わせでもよい。通信モジュール１２２３は、トランシーバ、トランシーバ回路、Ｂｌｕｅｔｏｏｔｈ、ネットワークインターフェース、通信インターフェースなどでもよい。記憶モジュール１２２１は、メモリでもよい。
【０１６７】
可能な一方式において、処理モジュール１２２２は、図４のＢＢＵ１２０１におけるプロセッサでもよく、通信モジュール１２２３は、図４のＲＲＵ１２０２におけるＲＦ回路でもよく、記憶モジュール１２２１は、図４のＢＢＵ１２０１におけるメモリでもよい。
【０１６８】
処理モジュール１２２２がプロセッサであり、通信モジュール１１２３がＲＦ回路であり、記憶モジュール１２２１がメモリであるとき、本出願における第１の通信装置は、図１１に示す第１の通信装置１２でもよい。
【０１６９】
図１１を参照し、第１の通信装置１２は、プロセッサ１２３１、メモリ１２３２、バスシステム１２３３、ＲＦ回路１２３４、光ファイバ１２３５、同軸ケーブル１２３６、アンテナ１２３７、及び１つ以上のプログラムを含む。ＢＢＵ１２０１のプロセッサ１２３１及びメモリ１２３２は、バスシステム１２３３を使用することにより互いに接続される。ＲＲＵ１２０２内のＲＦ回路１２３４とＢＢＵ１２０１は、光ファイバ１２３５を使用することにより互いに接続される。ＲＲＵ１２０２内のＲＦ回路１２３４とアンテナ１２３７は、同軸ケーブル１２３６を使用することにより互いに接続される。バスシステムは、ペリフェラルコンポーネントインターコネクト（peripheral  component  interconnect）バス、拡張インダストリスタンダードアーキテクチャ（extended  industry  standard  architecture）バスなどでもよい。バスは、アドレスバス、データバス、制御バスなどに分類され得る。表現の容易さのため、図ではバスを表すために１つの太線だけが用いられているが、これは、１つのバスだけ又は１つのタイプのバスだけがあることを意味するものではない。１つ以上のプログラムはメモリに記憶され、１つ以上のプログラムは命令を含み、この命令が第１の通信装置により実行されたとき、第１の通信装置は、図５〜図８のいずれか１つにおける関連方法を実行可能にされる。
【０１７０】
本出願の一実施形態は、プロセッサ及びメモリを含む第１の通信装置をさらに提供する。メモリは、プログラムを記憶するように構成され、プロセッサは、メモリに記憶されたプログラムを呼び出し、それにより、第１の通信装置は、図５〜図８のいずれか１つにおける関連方法を実行する。
【０１７１】
本出願の一実施形態は、１つ以上のプログラムを記憶するコンピュータ記憶媒体をさらに提供する。コンピュータ記憶媒体はコンピュータプログラムを記憶する。コンピュータプログラムがプロセッサにより実行されたとき、第１の通信装置は、図５〜図８のいずれか１つにおける関連方法を実行可能にされる。
【０１７２】
本出願の一実施形態は、命令を含むコンピュータプログラムプロダクトをさらに提供する。コンピュータプログラムプロダクトが第１の通信装置上で実行されたとき、第１の通信装置は、図５〜図８のいずれか１つにおける関連方法を実行可能にされる。
【０１７３】
本出願の一実施形態は、チップシステムを提供する。チップシステムは、プロセッサを含み、該プロセッサは、前述の態様における機能、例えば、第１の情報を決定することであって、第１の情報は、同期信号ブロックのタイプ情報を含み、同期信号ブロックのタイプ情報は、同期信号ブロックがセル定義の同期信号ブロック又は非セル定義の同期信号ブロックであることを示すために使用され；第１の情報を第２の通信装置に送信する；ことを実現する際に第１の通信装置をサポートするように構成される。可能な一設計において、チップシステムは、メモリをさらに含む。メモリは、端末デバイスに必要なプログラム命令及びデータを記憶するように構成される。チップシステムは、チップ、集積回路を含んでもよく、あるいはチップ及び別のディスクリートデバイスを含んでもよい。これは、本出願のこの実施形態において具体的に限定されない。
【０１７４】
本出願で提供される第１の通信装置、コンピュータ記憶媒体、コンピュータプログラムプロダクト、又はチップシステムは、上記で提供された対応する方法を実行するように構成される。したがって、第１の通信装置、コンピュータ記憶媒体、コンピュータプログラムプロダクト、又はチップシステムにより達成され得る有益な効果については、上記で提供された対応する方法における有益な効果を参照する。詳細はここで再度説明されない。
【０１７５】
第１の通信装置は第１のネットワークデバイスでもよく、あるいは第１のネットワークデバイスに使用できるコンポーネント（チップ、回路など）でもよいことが理解され得る。
【０１７６】
本出願の一実施形態は、前述の方法において第２のネットワークデバイスの機能を実行するように構成され得る第２の通信装置をさらに提供する。本出願の実施形態において、第２の通信装置は、前述の方法の例に基づいて機能モジュールに分割されてもよい。例えば、各機能モジュールは各対応機能に基づく分割を通じて得られてもよく、あるいは、２つ以上の機能が１つの処理モジュールに統合されてもよい。統合モジュールは、ハードウェアの形態で実現されてもよく、あるいはソフトウェア機能モジュールの形態で実現されてもよい。本出願において、モジュール分割は一例であり、単なる論理機能分割であることに留意されたい。実際の実装において、別の分割方式が使用されてもよい。
【０１７７】
図１２は、前述の実施形態における第２の通信装置の可能な概略構造図である。第２の通信装置１３は、受信ユニット１３１１及び送信ユニット１３１２を含む。前述のユニットは、図５〜図８のいずれか１つにおける関連方法を実行する際に第２の通信装置をサポートするように構成される。本出願で提供される第２の通信装置は、上記で提供された対応する方法を実行するように構成される。したがって、第２の通信装置により達成され得る対応する特徴及び有益な効果については、上記で提供された対応する方法における有益な効果を参照する。詳細はここで再度説明されない。
【０１７８】
例えば、受信ユニット１３１１は、図５のプロセスＳ１０２、図６のプロセスＳ２０２、図７のプロセスＳ３０２、及び図８のプロセスＳ４０２を実行する際に第２の通信装置１３をサポートするように構成される。送信ユニット１３１２は、図５のプロセスＳ１０３、図６のプロセスＳ２０３、図７のプロセスＳ３０３、及び図８のプロセスＳ４０３を実行する際に第２の通信装置１３をサポートするように構成される。前述の方法の実施形態におけるステップの全ての関連する内容は対応する機能モジュールの機能説明で引用されてもよく、詳細はここで再度説明されない。
【０１７９】
可能な一方式において、受信ユニット１３１１は、第１の通信装置から第１の情報を受信するように構成され、第１の情報は、第１の同期信号ブロックのタイプ情報を含み、第１の同期信号ブロックのタイプ情報は、第１の同期信号ブロックがセル定義の同期信号ブロック又は非セル定義の同期信号ブロックであることを示すために使用される。送信ユニット１３１２は、第２の情報を端末に送信するように構成され、第２の情報は、第１の情報に基づいて決定され得る。
【０１８０】
可能な一実装において、第１の同期信号ブロックは、第１の通信装置の第１のセル又は第１のキャリアの少なくとも１つの同期信号ブロックである。
【０１８１】
可能な一実装において、第１の同期信号ブロックは、第２の通信装置の第２のセル又は第２のキャリアの同期信号ブロックであり、送信ユニット１３１２は、第２のセル又は第２のキャリアのリソース使用情報を第１の通信装置に送信するようにさらに構成される。
【０１８２】
可能な一実装において、第２の情報は、セル定義の第２の同期信号ブロックの周波数情報を含む。
【０１８３】
可能な一実装において、第２の情報は、第２の同期信号ブロックの周波数情報及びタイプ情報を含む。
【０１８４】
可能な一実装において、第１の通信装置は、無線リソース制御ＲＲＣレイヤ、サービスデータ適応プロトコルＳＤＡＰレイヤ、及びパケットデータ収束プロトコルＰＤＣＰレイヤの機能を実行するように構成され、第２の通信装置は、無線リンク制御ＲＬＣレイヤ、媒体アクセス制御ＭＡＣレイヤ、及び物理レイヤの機能を実行するように構成される。
【０１８５】
可能な一実装において、第１の情報は、以下の情報、すなわち、周波数ドメインにおける同期信号ブロックのサブキャリア間隔を示すために使用される情報、同期信号ブロックの測定情報、近隣セルとサービングセルとの間又は近隣セルの同期信号ブロックとサービング同期信号ブロックとの間でタイミング同期が達成されるかどうかを示すために使用される情報、及び同期信号ブロックが時間ドメインにおいて同期されているかどうかを判定するために使用される情報のうち少なくとも１つをさらに含んでもよい。
【０１８６】
図１３は、前述の実施形態における第２の通信装置の別の可能な概略構造図である。第２の通信装置１３は、処理モジュール１３２２及び通信モジュール１３２３を含む。任意で、第２の通信装置１３は、記憶モジュール１３２１をさらに含んでもよい。前述のモジュールは、図５〜図８のいずれか１つにおける関連方法を実行する際に第２の通信装置をサポートするように構成される。本出願で提供される第２の通信装置は、上記で提供された対応する方法を実行するように構成される。したがって、第２の通信装置により達成され得る対応する特徴及び有益な効果については、上記で提供された対応する方法における有益な効果を参照する。詳細はここで再度説明されない。
【０１８７】
可能な一方式において、処理モジュール１３２２は、第２の通信装置１３の動作を制御及び管理し、あるいは対応する処理機能を実行するように構成される。通信モジュール１３２３は、受信ユニット１３１１及び送信ユニット１３１２の機能を実行する際に第２の通信装置１３をサポートするように構成される。記憶モジュール１３２１は、第２の通信装置のプログラムコード及び／又はデータを記憶するように構成される。
【０１８８】
処理モジュール１３２２は、プロセッサ又はコントローラでもよく、例えば、中央処理装置（central  processing  unit、ＣＰＵ）、汎用プロセッサ、デジタル信号プロセッサ（digital  signal  processor、ＤＳＰ）、特定用途向け集積回路（application-specific  integrated  circuit、ＡＳＩＣ）、フィールドプログラマブルゲートアレイ（Field  Programmable  Gate  Array、ＦＰＧＡ）、若しくは他のプログラマブル論理デバイス、トランジスタ論理デバイス、ハードウェアコンポーネント、又はこれらの任意の組み合わせでもよい。処理モジュール１３２２は、本出願で開示される内容を参照して説明される様々な例示的な論理ブロック、モジュール、及び回路を実現し、あるいは実行し得る。プロセッサはさらに、コンピューティング機能を実現する組み合わせ、例えば、１つ以上のマイクロプロセッサの組み合わせ、又はＤＳＰとマイクロプロセッサの組み合わせでもよい。通信モジュール１３２３は、トランシーバ、トランシーバ回路、Ｂｌｕｅｔｏｏｔｈ、ネットワークインターフェース、通信インターフェースなどでもよい。記憶モジュール１３２１は、メモリでもよい。
【０１８９】
可能な一方式において、処理モジュール１３２２は、図４のＢＢＵ１２０１におけるプロセッサでもよく、通信モジュール１３２３は、図４のＲＲＵ１２０２におけるＲＦ回路でもよく、記憶モジュール１３２１は、図４のＢＢＵ１２０１におけるメモリでもよい。
【０１９０】
処理モジュール１３２２がプロセッサであり、通信モジュール１３２３がＲＦ回路であり、記憶モジュール１３２１がメモリであるとき、本出願における第２の通信装置は、図１１に示される第１の通信装置１２の構造と同様の構造を有してもよく、詳細はここで再度説明されない。
【０１９１】
本出願の一実施形態は、プロセッサ及びメモリを含む第２の通信装置をさらに提供する。メモリは、プログラムを記憶するように構成され、プロセッサは、メモリに記憶されたプログラムを呼び出し、それにより、第２の通信装置は、図５〜図８のいずれか１つにおける関連方法を実行する。
【０１９２】
本出願の一実施形態は、１つ以上のプログラムを記憶するコンピュータ記憶媒体をさらに提供する。コンピュータ記憶媒体はコンピュータプログラムを記憶する。コンピュータプログラムがプロセッサにより実行されたとき、第２の通信装置は、図５〜図８のいずれか１つにおける関連方法を実行可能にされる。
【０１９３】
本出願の一実施形態は、命令を含むコンピュータプログラムプロダクトをさらに提供する。コンピュータプログラムプロダクトが第２の通信装置上で実行されたとき、第２の通信装置は、図５〜図８のいずれか１つにおける関連方法を実行可能にされる。
【０１９４】
本出願の一実施形態は、チップシステムを提供する。チップシステムは、プロセッサを含み、該プロセッサは、前述の態様における機能、例えば、第１の通信装置から第１の情報を受信することであって、第１の情報は、第１の同期信号ブロックのタイプ情報を含み、第１の同期信号ブロックのタイプ情報は、第１の同期信号ブロックがセル定義の同期信号ブロック又は非セル定義の同期信号ブロックであることを示すために使用され；第２の情報を送信することであって、第２の情報は、第１の情報に基づいて決定される；ことを実現する際に第２の通信装置をサポートするように構成される。可能な一設計において、チップシステムは、メモリをさらに含む。メモリは、端末デバイスに必要なプログラム命令及びデータを記憶するように構成される。チップシステムは、チップ、集積回路を含んでもよく、あるいはチップ及び別のディスクリートデバイスを含んでもよい。これは、本出願のこの実施形態において具体的に限定されない。
【０１９５】
本出願で提供される第２の通信装置、コンピュータ記憶媒体、コンピュータプログラムプロダクト、又はチップシステムは、上記で提供された対応する方法を実行するように構成される。したがって、第２の通信装置、コンピュータ記憶媒体、コンピュータプログラムプロダクト、又はチップシステムにより達成され得る有益な効果については、上記で提供された対応する方法における有益な効果を参照する。詳細はここで再度説明されない。
【０１９６】
第２の通信装置は、第２のネットワークデバイスでもよく、あるいは第２のネットワークデバイスに使用できるコンポーネント（チップ、回路等）でもよいことが理解され得る。
【０１９７】
本出願の一実施形態は、前述の方法において端末の機能を実行するように構成された通信装置をさらに提供する。本出願の実施形態において、通信装置は、前述の方法の例に基づいて機能モジュールに分割されてもよい。例えば、各機能モジュールは各対応機能に基づく分割を通じて得られてもよく、あるいは、２つ以上の機能が１つの処理モジュールに統合されてもよい。統合モジュールは、ハードウェアの形態で実現されてもよく、あるいはソフトウェア機能モジュールの形態で実現されてもよい。本出願において、モジュール分割は一例であり、単なる論理機能分割であることに留意されたい。実際の実装において、別の分割方式が使用されてもよい。
【０１９８】
図１４は、前述の実施形態における通信装置の可能な概略構造図である。通信装置１１は、受信ユニット１１１１及び測定ユニット１１１２を含む。前述のユニットは、図５〜図８のいずれか１つにおける関連方法を実行する際に通信装置をサポートするように構成される。本出願で提供される通信装置は、上記で提供された対応する方法を実行するように構成される。したがって、通信装置により達成され得る対応する特徴及び有益な効果については、上記で提供された対応する方法における有益な効果を参照する。詳細はここで再度説明されない。
【０１９９】
例えば、受信ユニット１１１１は、図５のプロセスＳ１０３、図６のプロセスＳ２０３、図７のプロセスＳ３０３、及び図８のプロセスＳ４０３を実行する際に通信装置１１をサポートするように構成される。測定ユニット１１１２は、図５のプロセスＳ１０４、図６のプロセスＳ２０４、図７のプロセスＳ３０４、及び図８のプロセスＳ４０４を実行する際に通信装置１１をサポートするように構成される。前述の方法の実施形態におけるステップの全ての関連する内容は対応する機能モジュールの機能説明で引用されてもよく、詳細はここで再度説明されない。
【０２００】
可能な一方式において、受信ユニット１１１１は、少なくとも１つの同期信号ブロックの周波数情報及びタイプ情報を受信するように構成され、同期信号ブロックのタイプ情報は、同期信号ブロックがセル定義の同期信号ブロック又は非セル定義の同期信号ブロックであることを示すために使用され、測定ユニット１１１２は、少なくとも１つの同期信号ブロックの周波数情報及びタイプ情報に基づいて同期信号ブロックを測定するように構成される。
【０２０１】
可能な一実装において、第２の情報は、セル定義の第２の同期信号ブロックの周波数情報を含み、測定ユニット１１１２は、周波数情報に基づいてセル定義の第２の同期信号ブロックを測定するように具体的に構成される。
【０２０２】
可能な一実装において、第２の情報は、第２の同期信号ブロックの周波数情報及びタイプ情報を含み、測定ユニット１１１２は、周波数情報に基づいて、タイプ情報により示されるセル定義の第２の同期信号ブロックを測定するように具体的に構成される。
【０２０３】
可能な一実装において、測定ユニット１１１２は、周波数情報に基づいて、タイプ情報により示される非セル定義の第２の同期信号ブロックを測定するようにさらに構成される。
【０２０４】
可能な一実装において、第１の情報又は第２の情報は、以下の情報、すなわち、周波数ドメインにおける同期信号ブロックのサブキャリア間隔を示すために使用される情報、同期信号ブロックの測定情報、近隣セルとサービングセルとの間又は近隣セルの同期信号ブロックとサービング同期信号ブロックとの間でタイミング同期が達成されるかどうかを示すために使用される情報、及び同期信号ブロックが時間ドメインにおいて同期されているかどうかを判定するために使用される情報のうち少なくとも１つをさらに含む。
【０２０５】
図１５は、前述の実施形態における通信装置の別の可能な概略構造図である。通信装置１１は、処理モジュール１１２２及び通信モジュール１１２３を含む。任意で、通信装置１１は、記憶モジュール１１２１をさらに含んでもよい。前述のモジュールは、図５〜図８のいずれか１つにおける関連方法を実行する際に通信装置をサポートするように構成される。本出願で提供される通信装置は、上記で提供された対応する方法を実行するように構成される。したがって、通信装置により達成され得る対応する特徴及び有益な効果については、上記で提供された対応する方法における有益な効果を参照する。詳細はここで再度説明されない。
【０２０６】
可能な一方式において、処理モジュール１１２２は、通信装置１１の動作を制御及び管理し、あるいは対応する処理機能を実行するように構成される。通信モジュール１１２３は、受信ユニット１１１１の機能を実行する際に通信装置１１をサポートするように構成される。記憶モジュール１１２１は、通信装置のプログラムコード及び／又はデータを記憶するように構成される。
【０２０７】
処理モジュール１１２２は、プロセッサ又はコントローラでもよく、例えば、中央処理装置（central  processing  unit、ＣＰＵ）、汎用プロセッサ、デジタル信号プロセッサ（digital  signal  processor、ＤＳＰ）、特定用途向け集積回路（application-specific  integrated  circuit、ＡＳＩＣ）、フィールドプログラマブルゲートアレイ（Field  Programmable  Gate  Array、ＦＰＧＡ）、若しくは他のプログラマブル論理デバイス、トランジスタ論理デバイス、ハードウェアコンポーネント、又はこれらの任意の組み合わせでもよい。処理モジュール１１２２は、本出願で開示される内容を参照して説明される様々な例示的な論理ブロック、モジュール、及び回路を実装又は実行し得る。プロセッサはさらに、コンピューティング機能を実現する組み合わせ、例えば、１つ以上のマイクロプロセッサの組み合わせ、又はＤＳＰとマイクロプロセッサの組み合わせでもよい。通信モジュール１１２３は、トランシーバ、トランシーバ回路、Ｂｌｕｅｔｏｏｔｈ、ネットワークインターフェース、通信インターフェースなどでもよい。記憶モジュール１１２１は、メモリでもよい。
【０２０８】
可能な一方式において、処理モジュール１１２２は、図２のプロセッサ１８０でもよく、通信モジュール１１２３は、図２のＲＦ回路１１０でもよく、記憶モジュール１１２１は、図２のメモリ１２０でもよい。
【０２０９】
処理モジュール１１２２がプロセッサであり、通信モジュール１１２３がＲＦ回路であり、記憶モジュール１１２１がメモリであるとき、本出願における通信装置は、図１６に示す通信装置１１でもよい。
【０２１０】
図１６を参照し、通信装置１１は、１つ以上のプロセッサ１１３２、ＲＦ回路１１３３、メモリ１１３１、バスシステム１１３４、及び１つ以上のプログラムを含む。ＲＦ回路１１３３、プロセッサ１１３２、及びメモリ１１３１は、バスシステム１１３４を使用することにより互いに接続される。バスシステム１１３４は、ペリフェラルコンポーネントインターコネクトバス、拡張インダストリスタンダードアーキテクチャバスなどでもよい。バスは、アドレスバス、データバス、制御バスなどに分類され得る。表現の容易さのため、図ではバスを表すために１つの太線だけが用いられているが、これは、１つのバスだけ又は１つのタイプのバスだけがあることを意味するものではない。１つ以上のプログラムはメモリ１１３１に記憶され、１つ以上のプログラムは命令を含み、この命令が通信装置により実行されたとき、通信装置は、図５〜図８のいずれか１つにおける関連方法を実行可能にされる。
【０２１１】
本出願の一実施形態は、プロセッサ及びメモリを含む通信装置をさらに提供する。メモリは、プログラムを記憶するように構成され、プロセッサは、メモリに記憶されたプログラムを呼び出し、それにより、通信装置は、図５〜図８のいずれか１つにおける関連方法を実行する。
【０２１２】
本出願の一実施形態は、１つ以上のプログラムを記憶するコンピュータ記憶媒体をさらに提供する。コンピュータ記憶媒体はコンピュータプログラムを記憶する。コンピュータプログラムがプロセッサにより実行されたとき、通信装置は、図５〜図８のいずれか１つにおける関連方法を実行可能にされる。
【０２１３】
本出願の一実施形態は、命令を含むコンピュータプログラムプロダクトをさらに提供する。コンピュータプログラムプロダクトが通信装置上で実行されたとき、通信装置は、図５〜図８のいずれか１つにおける関連方法を実行可能にされる。
【０２１４】
本出願の一実施形態は、チップシステムを提供する。チップシステムは、プロセッサを含み、該プロセッサは、前述の態様における機能、例えば、ネットワークデバイスから第２の情報を受信することであって、第２の情報は、第１の情報に基づいて決定され、第１の情報は、第１の同期信号ブロックのタイプ情報を含み、第１の同期信号ブロックのタイプ情報は、第１の同期信号ブロックがセル定義の同期信号ブロック又は非セル定義の同期信号ブロックであることを示すために使用され；セル定義の同期信号ブロックを測定する；ことを実現する際に通信装置をサポートするように構成される。可能な一設計において、チップシステムは、メモリをさらに含む。メモリは、通信装置に必要なプログラム命令及びデータを記憶するように構成される。チップシステムは、チップ、集積回路を含んでもよく、あるいはチップ及び別のディスクリートデバイスを含んでもよい。これは、本出願のこの実施形態において具体的に限定されない。
【０２１５】
本出願で提供される通信装置、コンピュータ記憶媒体、コンピュータプログラムプロダクト、又はチップシステムは、上記で提供された対応する方法を実行するように構成される。したがって、通信装置、コンピュータ記憶媒体、コンピュータプログラムプロダクト、又はチップシステムにより達成され得る有益な効果については、上記で提供された対応する方法における有益な効果を参照する。詳細はここで再度説明されない。
【０２１６】
通信装置は端末でもよく、あるいは端末に使用できるコンポーネント（チップ、回路等）でもよいことが理解され得る。
【０２１７】
前述のプロセスのシーケンス番号は、本出願の様々な実施形態における実行シーケンスを意味しないことを理解されたい。プロセスの実行シーケンスは、プロセスの機能及び内部論理に従って決定されるべきであり、本出願の実施形態の実施プロセスに対する何らかの制限と解釈されるべきではない。
【０２１８】
当業者は、本明細書に開示された実施形態に記載された例と組み合わせて、ユニット及びアルゴリズムステップが電子ハードウェア又はコンピュータソフトウェアと電子ハードウェアの組み合わせにより実現されてもよいことを認識し得る。機能がハードウェアにより実行されるか又はソフトウェアにより実行されるかは、技術的解決策の特定の適用及び設計制約条件に依存する。当業者は特定の適用ごとに、説明された機能を実現するために異なる方法を用い得るが、その実現は、本出願の範囲を超えるものと解釈されるべきではない。
【０２１９】
簡便かつ簡潔な説明のため、前述のシステム、装置、及びユニットの詳細な作業プロセスについては前述の方法の実施形態における対応するプロセスを参照し、詳細はここで再度説明されないことが当業者により明確に理解され得る。
【０２２０】
本出願で提供されるいくつかの実施形態において、開示されたシステム、デバイス、及び方法は他の方法で実現されてもよいことを理解されたい。例えば、説明されたデバイスの実施形態は単なる一例である。例えば、ユニット分割は単なる論理機能分割であり、実際の実装において他の分割でもよい。例えば、複数のユニット又はコンポーネントが別のシステムに組み合わせられ又は統合されてもよく、あるいは、いくつかの特徴が無視され又は実行されなくてもよい。さらに、表示され又は論じられた相互結合又は直接結合又は通信接続は、いくつかのインターフェースを介して実現されてもよい。デバイス又はユニット間の間接結合又は通信接続は、電子的、機械的、又は他の形態で実現されてもよい。
【０２２１】
別個の部分として記載されたユニットは、物理的に別個でも又はそうでなくてもよく、ユニットとして表示された部分は、物理ユニットでも又はそうでなくてもよく、１つの位置に配置されてもよく、あるいは複数のネットワークユニット上に分散されてもよい。ユニットのいくつか又は全てが、実施形態の解決策の目的を達成するために、実際の要件に基づいて選択されてもよい。
【０２２２】
さらに、本出願の実施形態における機能ユニットは１つの処理ユニットに統合されてもよく、あるいはユニットの各々が物理的に単独で存在してもよく、あるいは２つ以上のユニットが１つのユニットに統合されてもよい。
【０２２３】
前述の実施形態の全て又はいくつかが、ソフトウェア、ハードウェア、ファームウェア、又はこれらの任意の組み合わせを使用することにより実現されてよい。ソフトウェアを使用して実施形態を実現するとき、実施形態は、コンピュータプログラムプロダクトの形態で完全に又は部分的に実現されてもよい。コンピュータプログラムプロダクトは、１つ以上のコンピュータ命令を含む。コンピュータプログラム命令がコンピュータ上でロードされ、実行されたとき、本発明の実施形態による手順又は機能が全て又は部分的に生成される。コンピュータは、汎用コンピュータ、専用コンピュータ、コンピュータネットワーク、又は他のプログラマブル装置でもよい。コンピュータ命令は、コンピュータ読取可能記憶媒体に記憶されてもよく、あるいはあるコンピュータ読取可能記憶媒体から別のコンピュータ読取可能記憶媒体に伝送されてもよい。例えば、コンピュータ命令は、ウェブサイト、コンピュータ、サーバ、又はデータセンターから、有線（例えば、同軸ケーブル、光ファイバ、又はデジタル加入者線（ＤＳＬ））又は無線（例えば、赤外線、無線、又はマイクロ波）方式で、別のウェブサイト、コンピュータ、サーバ、又はデータセンターに伝送されてもよい。コンピュータ読取可能記憶媒体は、コンピュータによりアクセス可能な任意の使用可能な媒体、又は、１つ以上の使用可能な媒体を統合するサーバ又はデータセンターなどのデータ記憶デバイスでもよい。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（Solid  State  Disk、ＳＳＤ））などでもよい。
【０２２４】
前述の説明は、本出願の単なる具体的な実装であり、本出願の保護範囲を制限することを意図するものではない。本出願で開示された技術的範囲内で当業者により容易に理解されるいかなる変形又は置換も、本出願の保護範囲に入るものとする。したがって、本出願の保護範囲は、特許請求の範囲の保護範囲に従うものとする。
【図１】
2021522750.tif 000004
【図２】
2021522750.tif 000005
【図３】
2021522750.tif 000006
【図４】
2021522750.tif 000007
【図５】
2021522750.tif 000008
【図６】
2021522750.tif 000009
【図７】
2021522750.tif 000010
【図８】
2021522750.tif 000011
【図９】
2021522750.tif 000012
【図１０】
2021522750.tif 000013
【図１１】
2021522750.tif 000014
【図１２】
2021522750.tif 000015
【図１３】
2021522750.tif 000016
【図１４】
2021522750.tif 000017
【図１５】
2021522750.tif 000018
【図１６】
2021522750.tif 000019
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
通信方法であって、
第１のネットワークデバイスにより、第１の情報を決定するステップであり、前記第１の情報は同期信号ブロックのタイプ情報を含み、前記同期信号ブロックの前記タイプ情報は、前記同期信号ブロックが初期アクセス、在圏、セル再選択、又はセル選択をサポートするかどうかを示す、ステップと、
前記第１のネットワークデバイスにより、前記第１の情報を第２のネットワークデバイスに送信するステップと、
を含む方法。
【請求項２】
前記同期信号ブロックは、前記第１のネットワークデバイスの第１のセル又は第１のキャリアの少なくとも１つの同期信号ブロックである、請求項１に記載の方法。
【請求項３】
前記同期信号ブロックは、前記第２のネットワークデバイスの第２のセル又は第２のキャリアの同期信号ブロックである、請求項１に記載の方法。
【請求項４】
前記同期信号ブロックは、前記第２のネットワークデバイスの第２のセル又は第２のキャリアの同期信号ブロックであり、当該方法は、
前記第１のネットワークデバイスにより、前記第２のネットワークデバイスから、前記第２のセル又は前記第２のキャリアのリソース使用情報を受信するステップ、
をさらに含み、
前記第１のネットワークデバイスにより、第１の情報を決定するステップは、
前記第１のネットワークデバイスにより、前記第２のネットワークデバイスの前記第２のセル又は前記第２のキャリアの前記同期信号ブロックのタイプ情報を、前記第２のセル又は前記第２のキャリアの前記リソース使用情報に基づいて決定するステップを含む、
請求項１に記載の方法。
【請求項５】
前記第１のネットワークデバイスは集約ユニットであり、前記第２のネットワークデバイスは分散ユニットであり、あるいは
前記第１のネットワークデバイスは分散ユニットであり、前記第２のネットワークデバイスは集約ユニットである、
請求項１乃至４のうちいずれか１項に記載の方法。
【請求項６】
前記第１の情報は、以下の情報、すなわち、
周波数ドメインにおける前記同期信号ブロックのサブキャリア間隔を示すために使用される情報、
前記同期信号ブロックの測定情報、
近隣セルとサービングセルとの間又は近隣セルの同期信号ブロックとサービング同期信号ブロックとの間でタイミング同期が達成されるかどうかを示すために使用される情報、及び
同期信号ブロックが時間ドメインにおいて同期されているかどうかを判定するために使用される情報
のうち少なくとも１つをさらに含む、請求項１乃至５のうちいずれか１項に記載の方法。
【請求項７】
通信方法であって、
第２のネットワークデバイスにより、第１のネットワークデバイスから第１の情報を受信するステップであり、前記第１の情報は、第１の同期信号ブロックのタイプ情報を含み、前記同期信号ブロックの前記タイプ情報は、前記同期信号ブロックが初期アクセス、在圏、セル再選択、又はセル選択をサポートするかどうかを示す、ステップと、
前記第２のネットワークデバイスにより、第２の情報を送信するステップであり、前記第２の情報は前記第１の情報に基づいて決定される、ステップと、
を含む方法。
【請求項８】
前記第１の同期信号ブロックは、前記第１のネットワークデバイスの第１のセル又は第１のキャリアの少なくとも１つの同期信号ブロックである、請求項７に記載の方法。
【請求項９】
前記第１の同期信号ブロックは、前記第２のネットワークデバイスの第２のセル又は第２のキャリアの同期信号ブロックである、請求項７に記載の方法。
【請求項１０】
前記第２の情報は、セル定義の第２の同期信号ブロックの周波数情報を含む、請求項７に記載の方法。
【請求項１１】
前記第２の情報は、第２の同期信号ブロックの周波数情報及びタイプ情報を含む、請求項７に記載の方法。
【請求項１２】
前記第１のネットワークデバイスは、集約ユニットであり、前記第２のネットワークデバイスは分散ユニットであり、あるいは
前記第１のネットワークデバイスは分散ユニットであり、前記第２のネットワークデバイスは集約ユニットである、
請求項７乃至１１のうちいずれか１項に記載の方法。
【請求項１３】
前記第１の情報又は前記第２の情報は、以下の情報、すなわち、
周波数ドメインにおける前記同期信号ブロックのサブキャリア間隔を示すために使用される情報、
前記同期信号ブロックの測定情報、
近隣セルとサービングセルとの間又は近隣セルの同期信号ブロックとサービング同期信号ブロックとの間でタイミング同期が達成されるかどうかを示すために使用される情報、及び
同期信号ブロックが時間ドメインにおいて同期されているかどうかを判定するために使用される情報
のうち少なくとも１つをさらに含む、請求項７乃至１２のうちいずれか１項に記載の方法。
【請求項１４】
通信方法であって、
少なくとも１つの同期信号ブロックの周波数情報及びタイプ情報を受信するステップであり、前記同期信号ブロックの前記タイプ情報は、前記同期信号ブロックが初期アクセス、在圏、セル再選択、又はセル選択をサポートするかどうかを示す、ステップと、
前記少なくとも１つの同期信号ブロックの前記周波数情報及び前記タイプ情報に基づいて前記同期信号ブロックを測定するステップと、
を含む方法。
【請求項１５】
前記少なくとも１つの同期信号ブロックの前記周波数情報及び前記タイプ情報に基づいて前記同期信号ブロックを測定するステップは、
前記周波数情報に基づいて、初期アクセス、在圏、セル再選択、又はセル選択をサポートする前記同期信号ブロックを測定するステップ
を含む、請求項１４に記載の方法。
【請求項１６】
請求項１乃至６のうちいずれか１項に記載の方法を実現し、あるいは請求項７乃至１３のうちいずれか１項に記載の方法を実現し、あるいは請求項１４又は１５に記載の方法を実現するように構成された通信装置。
【請求項１７】
コンピュータ読取可能媒体であって、コンピュータプログラムを記憶し、前記コンピュータプログラムが実行されたとき、請求項１乃至６のうちいずれか１項に記載の方法が実現され、あるいは請求項７乃至１３のうちいずれか１項に記載の方法が実現され、あるいは請求項１４又は１５に記載の方法が実現される、媒体。
【手続補正２】
【補正対象書類名】明細書
【補正対象項目名】００７２
【補正方法】変更
【補正の内容】
【００７２】
上述のように、１ビットを使用して、同期信号ブロックのタイプ情報を示してもよい。例えば、０は、非セル定義の同期信号ブロックを示し、あるいは同期信号ブロックが初期アクセス、在圏、セル再選択、又はセル選択をサポートしないことを示し、あるいは同期信号ブロックが基本システム情報を送信するために使用されないことを示し、１は、セル定義の同期信号ブロックを示す。代替的に、１は、非セル定義の同期信号ブロックを示し、０は、セル定義の同期信号ブロックを示す。可能な一実装において、サービングセルにより端末に送られる近隣セル情報は、近隣セルのセル情報又はキャリア情報と、近隣セルの少なくとも１つの同期信号ブロックの周波数情報及びタイプ情報を含んでもよい。近隣セルのセル情報は、Ｅ‐ＵＴＲＡＮセルグローバル識別子（E-UTRAN  cell  global  identifier、ＥＣＧＩ）及び物理セル識別子（physical  cell  identifier、ＰＣＩ）のうち少なくとも１つを含んでもよい。近隣セルのキャリア情報は、周波数情報及びキャリア帯域幅のうち少なくとも１つを含んでもよい。一例示的な実装が表１に示され、表１により示される近隣セル情報は、近隣セルのセル情報と、近隣セルの同期信号ブロックの周波数情報及びタイプ情報を含む。
【表１】
2021522750.tif 000020
【手続補正３】
【補正対象書類名】明細書
【補正対象項目名】００７３
【補正方法】変更
【補正の内容】
【００７３】
ＮＲ  ＡＲＦＣＮは、同期信号ブロックの周波数情報を示す。本実施形態では、ＳＳＢの周波数情報がＡＲＦＣＮである一例を用いる。具体的には、ＮＲ  ＡＲＦＣＮは、表１のＳＳＢに対応する。任意で、ＳＳＢの周波数情報は、グローバル同期チャネル番号として参照されてもよい。表から、ＳＳＢ１の周波数における同期信号ブロックのタイプ情報は１であり、これは該周波数における同期信号ブロックがセル定義の同期信号ブロックであることを示し得、ＳＳＢ２の周波数における同期信号ブロックのタイプ情報は０であり、これは該周波数における同期信号ブロックが非セル定義の同期信号ブロックであることを示し得ることが習得できる。
【手続補正４】
【補正対象書類名】明細書
【補正対象項目名】０１３９
【補正方法】変更
【補正の内容】
【０１３９】
例えば、第１の情報は、リセット（reset）メッセージ、Ｆ１セットアップ要求（setup  request）メッセージ、基地局集約ユニット（gNode  B  centralized  unit、ＧＮＢ‐ＣＵ）構成更新（configuration  update）メッセージ、又は別のＦ１メッセージで搬送されてもよい。これは、本出願のこの実施形態において限定されない。
【手続補正５】
【補正対象書類名】明細書
【補正対象項目名】０１６８
【補正方法】変更
【補正の内容】
【０１６８】
処理モジュール１２２２がプロセッサであり、通信モジュール１２２３がＲＦ回路であり、記憶モジュール１２２１がメモリであるとき、本出願における第１の通信装置は、図１１に示す第１の通信装置１２でもよい。
【手続補正６】
【補正対象書類名】明細書
【補正対象項目名】０２２３
【補正方法】変更
【補正の内容】
【０２２３】
前述の実施形態の全て又はいくつかが、ソフトウェア、ハードウェア、ファームウェア、又はこれらの任意の組み合わせを使用することにより実現されてよい。ソフトウェアを使用して実施形態を実現するとき、実施形態は、コンピュータプログラムプロダクトの形態で完全に又は部分的に実現されてもよい。コンピュータプログラムプロダクトは、１つ以上のコンピュータ命令を含む。コンピュータプログラム命令がコンピュータ上でロードされ、実行されたとき、本発明の実施形態による手順又は機能が全て又は部分的に生成される。コンピュータは、汎用コンピュータ、専用コンピュータ、コンピュータネットワーク、又は他のプログラマブル装置でもよい。コンピュータ命令は、コンピュータ読取可能記憶媒体に記憶されてもよく、あるいはあるコンピュータ読取可能記憶媒体から別のコンピュータ読取可能記憶媒体に伝送されてもよい。例えば、コンピュータ命令は、ウェブサイト、コンピュータ、サーバ、又はデータセンターから、有線（例えば、同軸ケーブル、光ファイバ、又はデジタル加入者線（ＤＳＬ））又は無線（例えば、赤外線、無線、又はマイクロ波）方式で、別のウェブサイト、コンピュータ、サーバ、又はデータセンターに伝送されてもよい。コンピュータ読取可能記憶媒体は、コンピュータによりアクセス可能な任意の使用可能な媒体、又は、１つ以上の使用可能な媒体を統合するサーバ又はデータセンターなどのデータ記憶デバイスでもよい。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（ＳＳＤ））などでもよい。
【国際調査報告】
2021522750.tif 000021
2021522750.tif 000022
2021522750.tif 000023
2021522750.tif 000024
2021522750.tif 000025
2021522750.tif 000026